(57)【要約】【課題】印刷ドラムの使用履歴や使用状態に応じて適切な印刷制御を行ない、排版、製版、印刷動作の誤動作を未然に防止する。【解決手段】本発明では、ドラム装置２０または該ドラム装置に装着のインキ収納部材のいずれか一方に記憶部材７１を備えるとともに、記憶部材へ種々の情報の書き込みや読み込みが可能な書き込み装置７０を備え、記憶部材には、印刷終了時に、ドラム装置の最終使用履歴情報及び、最終使用の状態情報が随時更新されて保存され、印刷の開始時には、制御部６０は、記憶部材に保存された最終使用履歴情報及び最終使用の状態情報を読み出し、読み出した最終使用履歴情報に基づいて一定期間内に使用履歴があるか否かを判定し、その判定結果に基づいて排版、製版、印刷動作の制御を行うので、一定期間使用されることのなかった印刷ドラムを用いた際にも、正常で良好な印刷を行うことができる。【選択図】図２
2008132623.tif 000002
【特許請求の範囲】
【請求項１】
ドラム装置の印刷ドラムの外周面に巻装される製版済みの版に対してドラム内部からインキを供給し、版に対して用紙を圧接することで版の製版画像に対応する画像を印刷する孔版印刷装置の印刷制御方法において、
前記ドラム装置または該ドラム装置に装着のインキ収納部材のいずれか一方に記憶部材を備えるとともに、該記憶部材へ種々の情報の書き込みや読み込みが可能な書き込み手段を備え、前記記憶部材には、印刷終了時に、前記ドラム装置の最終使用履歴情報及び、最終使用の状態情報が随時更新されて保存され、印刷の開始時には、前記記憶部材に保存された最終使用履歴情報及び、最終使用の状態情報を読み出し、読み出した最終使用履歴情報に基づいて一定期間内に使用履歴があるか否かを判定し、その判定結果に基づいて排版、製版、印刷動作の制御を行うことを特徴とする印刷制御方法。
【請求項２】
請求項１に記載の印刷制御方法において、
前記記憶部材より読み出された最終使用履歴情報により一定期間以上使用履歴が無いと判定され、前記記憶部材の最終使用の状態情報により前記印刷ドラムに版が有る状態で使用が終了されていたと判定された場合には、製版、印刷動作を行う際に必ず排版動作を行うことを特徴とする印刷制御方法。
【請求項３】
請求項１に記載の印刷制御方法において、
前記記憶部材より読み出された最終使用履歴情報により一定期間以上使用履歴が無いと判定され、前記記憶部材の最終使用の状態情報により前記印刷ドラムに版が無い状態で使用が終了されていたと判定された場合には、製版、印刷動作を行う際に排版動作を行わないことを特徴とする印刷制御方法。
【請求項４】
請求項１に記載の印刷制御方法において、
前記記憶部材より読み出された最終使用履歴情報により一定期間以上使用履歴が無いと判定された場合、ユーザーに前記印刷ドラムの状態の確認を仰ぐメーセージを操作パネル上に表示し、該操作パネルから前記ユーザーがドラム上の版の有無を確認した結果を選択するようにし、前記記憶部材の最終使用の状態情報と、前記ユーザーによって選択された情報とによって、所定の製版、印刷処理制御を行うことを特徴とする印刷制御方法。
【請求項５】
請求項４に記載の印刷制御方法において、
前記記憶部材より読み出された最終使用履歴情報により一定期間以上使用履歴が無いと判定され、前記記憶部材の最終使用の状態情報により前記印刷ドラムに版が有る状態で使用が終了されていたと判定された場合に、前記操作パネル上からのユーザーの選択がドラム上に版が有ると選択した場合には、製版、印刷動作を行う際に必ず排版動作を行うことを特徴とする印刷制御方法。
【請求項６】
請求項４に記載の印刷制御方法において、
前記記憶部材より読み出された最終使用履歴情報により一定期間以上使用履歴が無いと判定され、前記記憶部材の最終使用の状態情報により前記印刷ドラムに版が有る状態で使用が終了されていたと判定された場合に、前記操作パネル上からのユーザーの選択がドラム上に版が無いと選択した場合には、製版、印刷動作を行う際に排版動作を行わないことを特徴とする印刷制御方法。
【請求項７】
請求項４に記載の印刷制御方法において、
前記記憶部材より読み出された最終使用履歴情報により一定期間以上使用履歴が無いと判定され、前記記憶部材の最終使用の状態情報により前記印刷ドラムに版が無い状態で使用が終了されていたと判定された場合に、前記操作パネル上からのユーザーの選択がドラム上に版が有ると選択した場合には、製版、印刷動作を行う際に必ず排版動作を行うことを特徴とする印刷制御方法。
【請求項８】
請求項４に記載の印刷制御方法において、
前記記憶部材より読み出された最終使用履歴情報により一定期間以上使用履歴が無いと判定され、前記記憶部材の最終使用の状態情報により前記印刷ドラムに版が無い状態で使用が終了されていたと判定された場合に、前記操作パネル上からのユーザーの選択がドラム上に版が無いと選択した場合には、製版、印刷動作を行う際に排版動作を行わないことを特徴とする印刷制御方法。
【請求項９】
請求項４に記載の印刷制御方法において、
印刷装置本体に記憶装置を備え、該記憶装置には、印刷終了時に、前記ドラム装置の最終使用履歴情報及び、最終使用の状態情報が随時更新されて記憶され、印刷の開始時には、前記記憶装置に保存された最終使用履歴情報及び、最終使用の状態情報と、前記記憶部材より読み出された最終使用履歴情報及び、最終使用の状態情報とを対比させ、前記記憶部材より読み出された最終使用履歴情報により一定期間以上使用履歴が無いと判定された場合、前記ユーザーに前記印刷ドラムの状態の確認を仰ぐメーセージを操作パネル上に表示し、該操作パネルから前記ユーザーがドラム上の版の有無を確認した結果を選択するようにし、前記記憶装置に記憶された最終使用の状態情報と、前記記憶部材の最終使用の状態情報と、前記ユーザーに選択された情報とによって所定の製版、印刷処理制御を行うことを特徴とする印刷制御方法。
【請求項１０】
請求項９に記載の印刷制御方法において、
前記記憶部材より読み出された最終使用履歴情報により一定期間以上使用履歴が無いと判定され、前記記憶装置に記憶された最終使用の状態情報により前記印刷ドラムに版が有る状態で使用が終了されていたと判定され、前記記憶部材より読み出された最終使用の状態情報により前記印刷ドラムに版が有る状態で使用が終了されていたと判定された場合に、前記操作パネル上からのユーザーの選択がドラム上に版が有ると選択した場合には、製版、印刷動作を行う際に必ず排版動作を行うことを特徴とする印刷制御方法。
【請求項１１】
請求項９に記載の印刷制御方法において、
前記記憶部材より読み出された最終使用履歴情報により一定期間以上使用履歴が無いと判定され、前記記憶装置に記憶された最終使用の状態情報により前記印刷ドラムに版が有る状態で使用が終了されていたと判定され、前記記憶部材より読み出された最終使用の状態情報により前記印刷ドラムに版が有る状態で使用が終了されていたと判定された場合に、前記操作パネル上からのユーザーの選択がドラム上に版が無いと選択した場合には、製版、印刷動作を行う際に排版動作を行わないことを特徴とする印刷制御方法。
【請求項１２】
請求項９に記載の印刷制御方法において、
前記記憶部材より読み出された最終使用履歴情報により一定期間以上使用履歴が無いと判定され、前記記憶装置に記憶された最終使用の状態情報により前記印刷ドラムに版が有る状態で使用が終了されていたと判定され、前記記憶部材より読み出された最終使用の状態情報により前記印刷ドラムに版が無い状態で使用が終了されていたと判定された場合に、前記操作パネル上からのユーザーの選択がドラム上に版が有ると選択した場合には、製版、印刷動作を行う際に必ず排版動作を行うことを特徴とする印刷制御方法。
【請求項１３】
請求項９に記載の印刷制御方法において、
前記記憶部材より読み出された最終使用履歴情報により一定期間以上使用履歴が無いと判定され、前記記憶装置に記憶された最終使用の状態情報により前記印刷ドラムに版が有る状態で使用が終了されていたと判定され、前記記憶部材より読み出された最終使用の状態情報により前記印刷ドラムに版が無い状態で使用が終了されていたと判定された場合に、前記操作パネル上からのユーザーの選択がドラム上に版が無いと選択した場合には、製版、印刷動作を行う際に排版動作を行わないことを特徴とする印刷制御方法。
【請求項１４】
請求項９に記載の印刷制御方法において、
前記記憶部材より読み出された最終使用履歴情報により一定期間以上使用履歴が無いと判定され、前記記憶装置に記憶された最終使用の状態情報により前記印刷ドラムに版が無い状態で使用が終了されていたと判定され、前記記憶部材より読み出された最終使用の状態情報により前記印刷ドラムに版が有る状態で使用が終了されていたと判定された場合に、前記操作パネル上からのユーザーの選択がドラム上に版が有ると選択した場合には、製版、印刷動作を行う際に必ず排版動作を行うことを特徴とする印刷制御方法。
【請求項１５】
請求項９に記載の印刷制御方法において、
前記記憶部材より読み出された最終使用履歴情報により一定期間以上使用履歴が無いと判定され、前記記憶装置に記憶された最終使用の状態情報により前記印刷ドラムに版が無い状態で使用が終了されていたと判定され、前記記憶部材より読み出された最終使用の状態情報により前記印刷ドラムに版が有る状態で使用が終了されていたと判定された場合に、前記操作パネル上からのユーザーの選択がドラム上に版が無いと選択した場合には、製版、印刷動作を行う際に排版動作を行わないことを特徴とする印刷制御方法。
【請求項１６】
請求項９に記載の印刷制御方法において、
前記記憶部材より読み出された最終使用履歴情報により一定期間以上使用履歴が無いと判定され、前記記憶装置に記憶された最終使用の状態情報により前記印刷ドラムに版が無い状態で使用が終了されていたと判定され、前記記憶部材より読み出された最終使用の状態情報により前記印刷ドラムに版が無い状態で使用が終了されていたと判定された場合に、前記操作パネル上からのユーザーの選択がドラム上に版が有ると選択した場合には、製版、印刷動作を行う際に必ず排版動作を行うことを特徴とする印刷制御方法。
【請求項１７】
請求項９に記載の印刷制御方法において、
前記記憶部材より読み出された最終使用履歴情報により一定期間以上使用履歴が無いと判定され、前記記憶装置に記憶された最終使用の状態情報により前記印刷ドラムに版が無い状態で使用が終了されていたと判定され、前記記憶部材より読み出された最終使用の状態情報により前記印刷ドラムに版が無い状態で使用が終了されていたと判定された場合に、前記操作パネル上からのユーザーの選択がドラム上に版が無いと選択した場合には、製版、印刷動作を行う際に排版動作を行わないことを特徴とする印刷制御方法。
【請求項１８】
印刷ドラムを有するドラム装置を備えた印刷部と、画像情報に応じて版に製版を行い印刷ドラムに給版する製版部と、前記印刷ドラムから使用済の版を排版する排版部と、前記印刷部に用紙を給紙する給紙部と、印刷された用紙を排紙する排紙部と、これら各部を制御する制御部と、各種情報の表示や各種設定を行うための操作パネルを備え、前記ドラム装置の印刷ドラムの外周面に巻装される製版済みの版に対してドラム内部からインキを供給し、版に対して用紙を圧接することで版の製版画像に対応する画像を印刷する孔版印刷装置において、
前記ドラム装置または該ドラム装置に装着のインキ収納部材のいずれか一方に記憶部材を備えるとともに、該記憶部材へ種々の情報の書き込みや読み込みが可能な書き込み手段を備え、前記制御部は、請求項１〜１７のいずれか１項に記載の印刷制御方法により、排版、製版、印刷動作の制御を行うことを特徴とする孔版印刷装置。
【請求項１９】
請求項１８に記載の孔版印刷装置において、
前記記憶部材として、ＩＣチップを有するタグを用い、前記書き込み手段として、ＩＣチップ用の書き込み装置を備えたことを特徴とする孔版印刷装置。
【請求項２０】
請求項１８または１９に記載の孔版印刷装置において、
印刷装置本体の前記制御部に記憶装置を備え、該記憶装置には、印刷終了時に、前記ドラム装置の最終使用履歴情報及び、最終使用の状態情報が随時更新されて記憶されることを特徴とする孔版印刷装置。
【請求項２１】
請求項１８または１９に記載の孔版印刷装置において、
前記印刷ドラム上の版の有無を検知する版検出手段を備え、前記制御部は、印刷終了時に前記版検出手段により前記印刷ドラム上の版の有無を検知し、その検知情報を最終使用の状態情報の一つとして、前記記憶部材に書き込むことを特徴とする孔版印刷装置。
【請求項２２】
請求項２０に記載の孔版印刷装置において、
前記印刷ドラム上の版の有無を検知する版検出手段を備え、前記制御部は、印刷終了時に前記版検出手段により前記印刷ドラム上の版の有無を検知し、その検知情報を最終使用の状態情報の一つとして、前記記憶部材に書き込むとともに、前記記憶装置に記憶することを特徴とする孔版印刷装置。
【発明の詳細な説明】
【技術分野】
【０００１】
本発明は、孔版印刷装置における印刷制御方法及び、その印刷制御方法を用いて排版、製版、印刷動作の制御を行う孔版印刷装置に関する。
【背景技術】
【０００２】
孔版印刷装置では、印刷部を構成するドラム装置（ドラムユニットとも言う）の印刷ドラムの外周面に巻装される製版済みの版（マスタとも言う）に対してドラム内部からインキを供給し、版に対して用紙を圧接することで版の製版画像に対応する画像を印刷している。印刷ドラムは、インキ収納部材（インキパック、インキタンク等）からインキ供給管等を介して補給されたインキをドラム内部のインキ溜めに保持するため、通常は１ドラム１色となっており、ドラム装置（ドラムユニット）ごと装置本体に対して着脱可能な構成となっている。すなわち、孔版印刷装置では、所望の色の印刷を行う場合、使用しないドラムユニットを装置本体から外し、所望の色のインキを有するインキ収納部材と印刷ドラムがセットされたドラムユニットを装置本体に装着するように構成されている。
また、孔版印刷装置に用いるインキには、短期問の放置では乾燥しにくく、用紙に転移した後にインキを構成している油分水分が用紙に浸透したり、大気中に気化することで速やかに浸透乾燥するエマルジョンインキが主に用いられている。
【０００３】
このような構成の孔版印刷装置においては、インキの色を変える場合、所望の色のインキを有するドラムユニットを予め用意して置き、なおかつ装置本体に対してドラムユニットの交換をしなければならない。また、印刷ドラムが孔版印刷装置内部に入る構成上、一度装置に印刷ドラムを装着セットすると、その印刷ドラムの使用履歴（一定期間内の使用の有無、使用時間等）や使用状態（使用しているインキ色やインキの種類、ドラム上の版の有無等）などの印刷ドラムの固有情報の確認が容易でなかった。さらに、どの印刷ドラムがどの位の期間、印刷に使用していないのか、すなわち前回の印刷終了からの経過時間（あるいは放置期間）を正確に計ることが難しい。また、印刷ドラムが印刷終了後に長時間放置されると、インキに含まれている水分が徐々に蒸発し、インキが軟化（緩み）してしまう。インキが軟化すると、印刷ドラムの開孔やメッシュスクリーン、マスタの穿孔部を通過しやすく滲みが生じ、放置後に印刷する際に大量に用紙に転移してしまったり、インキの粘性によってマスタがドラム外周面に過度に密着して排版ミスを起こしたり、画像にムラが出やすくなる。
【０００４】
このような不具合を低減するため一部の孔版印刷装置では、任意に印刷ドラムだけを空転させてドラム内部のインキを馴染ませるモードを設けている（例えば特許文献１等）。
より具体的には、「オートアイドリングモード」と呼称されるモードを備えている。これは装置に製版、印刷を最後に行った時間を記憶させ、次に製版する際に記憶した時間と現在の時間とのインターバルを算出する。算出した放置時間がオートアイドリングモードの設定値以上ならば、無製版のマスタをドラムに巻き付けて紙を給紙せずに印刷と同じプレス動作を行うことによりインクを馴染ませるものである。
しかし、この構成によれば、１台の装置に対し１つのドラムユニットを使用するならば十分機能を発揮して不良な印刷物の発生をなくすことが可能で有るが、１台の装置に対して複数の印刷ドラムを交換して使用するような場合、はじめに使用するドラムユニットにはオートアイドリングモードが働くが、ドラムユニットを交換するとその交換されたドラムユニットにはオートアイドリングモードが働かず、不良な印刷物が発生してしまう。
【０００５】
【特許文献１】特開平３−１７５０８１号公報
【特許文献２】特開２００２−１３７５２５公報
【特許文献３】特開２００４−９３２２公報
【発明の開示】
【発明が解決しようとする課題】
【０００６】
従来、一定期間放置された印刷ドラムでは、ドラム内部にインキが残った状態で放置された場合、内部に残ったインキの軟化（緩み）が発生し、印刷ドラムに巻かれた版に緩んだインキの油成分が滲んでしまい、印刷不良が発生する要因となる。
また、印刷ドラム上の版（マスタ）の有無を光学式のセンサ、あるいは可動電極を用いた接触式のセンサで検知する版検出手段を備えた印刷装置が本出願人により提案されているが（特許文献２，３）、版の有無を検知するためのセンサの検知部にも油成分の滲みが生じた場合、センサで正しい検知ができず、センサが誤検知し、印刷ドラム上に版が無いのに排版動作を行ったり、版があるのに排版動作を行わずに製版、巻装動作を行うなど、製版、印刷動作の誤動作を引き起こす原因となり、装置の故障や異常画像が発生し、良好な印刷を行うことができないという問題があった。
【０００７】
本発明は上記事情に鑑みなされたものであり、印刷ドラムの放置や使用状態によって発生するインキの軟化（緩み）を起因とする不具合の解決をより確実に行うとともに、印刷ドラムの使用履歴や使用状態に応じて適切な印刷制御を行ない、排版、製版、印刷動作の誤動作を未然に防止することができる印刷制御方法を提供することを目的とし、さらにはその印刷制御方法を用いて排版、製版、印刷動作の誤動作を未然に防止し、良好な印刷を行うことができる孔版印刷装置を提供することを目的としている。
【課題を解決するための手段】
【０００８】
上記の目的を達成するため、本発明では以下のような手段を採っている。
本発明の第１の手段は、ドラム装置の印刷ドラムの外周面に巻装される製版済みの版に対してドラム内部からインキを供給し、版に対して用紙を圧接することで版の製版画像に対応する画像を印刷する孔版印刷装置の印刷制御方法において、前記ドラム装置または該ドラム装置に装着のインキ収納部材のいずれか一方に記憶部材を備えるとともに、該記憶部材へ種々の情報の書き込みや読み込みが可能な書き込み手段を備え、前記記憶部材には、印刷終了時に、前記ドラム装置の最終使用履歴情報及び、最終使用の状態情報が随時更新されて保存され、印刷の開始時には、前記記憶部材に保存された最終使用履歴情報及び、最終使用の状態情報を読み出し、読み出した最終使用履歴情報に基づいて一定期間内に使用履歴があるか否かを判定し、その判定結果に基づいて排版、製版、印刷動作の制御を行うことを特徴とする。
【０００９】
本発明の第２の手段は、第１の手段の印刷制御方法において、前記記憶部材より読み出された最終使用履歴情報により一定期間以上使用履歴が無いと判定され、前記記憶部材の最終使用の状態情報により前記印刷ドラムに版が有る状態で使用が終了されていたと判定された場合には、製版、印刷動作を行う際に必ず排版動作を行うことを特徴とする。
また、本発明の第３の手段は、第１の手段の印刷制御方法において、前記記憶部材より読み出された最終使用履歴情報により一定期間以上使用履歴が無いと判定され、前記記憶部材の最終使用の状態情報により前記印刷ドラムに版が無い状態で使用が終了されていたと判定された場合には、製版、印刷動作を行う際に排版動作を行わないことを特徴とする。
【００１０】
本発明の第４の手段は、第１の手段の印刷制御方法において、前記記憶部材より読み出された最終使用履歴情報により一定期間以上使用履歴が無いと判定された場合、ユーザーに前記印刷ドラムの状態の確認を仰ぐメーセージを操作パネル上に表示し、該操作パネルから前記ユーザーがドラム上の版の有無を確認した結果を選択するようにし、前記記憶部材の最終使用の状態情報と、前記ユーザーによって選択された情報とによって、所定の製版、印刷処理制御を行うことを特徴とする。
【００１１】
本発明の第５の手段は、第４の手段の印刷制御方法において、前記記憶部材より読み出された最終使用履歴情報により一定期間以上使用履歴が無いと判定され、前記記憶部材の最終使用の状態情報により前記印刷ドラムに版が有る状態で使用が終了されていたと判定された場合に、前記操作パネル上からのユーザーの選択がドラム上に版が有ると選択した場合には、製版、印刷動作を行う際に必ず排版動作を行うことを特徴とする。
また、本発明の第６の手段は、第４の手段の印刷制御方法において、前記記憶部材より読み出された最終使用履歴情報により一定期間以上使用履歴が無いと判定され、前記記憶部材の最終使用の状態情報により前記印刷ドラムに版が有る状態で使用が終了されていたと判定された場合に、前記操作パネル上からのユーザーの選択がドラム上に版が無いと選択した場合には、製版、印刷動作を行う際に排版動作を行わないことを特徴とする。
【００１２】
本発明の第７の手段は、第４の手段の印刷制御方法において、前記記憶部材より読み出された最終使用履歴情報により一定期間以上使用履歴が無いと判定され、前記記憶部材の最終使用の状態情報により前記印刷ドラムに版が無い状態で使用が終了されていたと判定された場合に、前記操作パネル上からのユーザーの選択がドラム上に版が有ると選択した場合には、製版、印刷動作を行う際に必ず排版動作を行うことを特徴とする。
また、本発明の第８の手段は、第４の手段の印刷制御方法において、前記記憶部材より読み出された最終使用履歴情報により一定期間以上使用履歴が無いと判定され、前記記憶部材の最終使用の状態情報により前記印刷ドラムに版が無い状態で使用が終了されていたと判定された場合に、前記操作パネル上からのユーザーの選択がドラム上に版が無いと選択した場合には、製版、印刷動作を行う際に排版動作を行わないことを特徴とする。
【００１３】
本発明の第９の手段は、第４の手段の印刷制御方法において、印刷装置本体に記憶装置を備え、該記憶装置には、印刷終了時に、前記ドラム装置の最終使用履歴情報及び、最終使用の状態情報が随時更新されて記憶され、印刷の開始時には、前記記憶装置に保存された最終使用履歴情報及び、最終使用の状態情報と、前記記憶部材より読み出された最終使用履歴情報及び、最終使用の状態情報とを対比させ、前記記憶部材より読み出された最終使用履歴情報により一定期間以上使用履歴が無いと判定された場合、前記ユーザーに前記印刷ドラムの状態の確認を仰ぐメーセージを操作パネル上に表示し、該操作パネルから前記ユーザーがドラム上の版の有無を確認した結果を選択するようにし、前記記憶装置に記憶された最終使用の状態情報と、前記記憶部材の最終使用の状態情報と、前記ユーザーに選択された情報とによって所定の製版、印刷処理制御を行うことを特徴とする。
【００１４】
本発明の第１０の手段は、第９の手段の印刷制御方法において、前記記憶部材より読み出された最終使用履歴情報により一定期間以上使用履歴が無いと判定され、前記記憶装置に記憶された最終使用の状態情報により前記印刷ドラムに版が有る状態で使用が終了されていたと判定され、前記記憶部材より読み出された最終使用の状態情報により前記印刷ドラムに版が有る状態で使用が終了されていたと判定された場合に、前記操作パネル上からのユーザーの選択がドラム上に版が有ると選択した場合には、製版、印刷動作を行う際に必ず排版動作を行うことを特徴とする。
また、本発明の第１１の手段は、第９の手段の印刷制御方法において、前記記憶部材より読み出された最終使用履歴情報により一定期間以上使用履歴が無いと判定され、前記記憶装置に記憶された最終使用の状態情報により前記印刷ドラムに版が有る状態で使用が終了されていたと判定され、前記記憶部材より読み出された最終使用の状態情報により前記印刷ドラムに版が有る状態で使用が終了されていたと判定された場合に、前記操作パネル上からのユーザーの選択がドラム上に版が無いと選択した場合には、製版、印刷動作を行う際に排版動作を行わないことを特徴とする。
【００１５】
本発明の第１２の手段は、第９の手段の印刷制御方法において、前記記憶部材より読み出された最終使用履歴情報により一定期間以上使用履歴が無いと判定され、前記記憶装置に記憶された最終使用の状態情報により前記印刷ドラムに版が有る状態で使用が終了されていたと判定され、前記記憶部材より読み出された最終使用の状態情報により前記印刷ドラムに版が無い状態で使用が終了されていたと判定された場合に、前記操作パネル上からのユーザーの選択がドラム上に版が有ると選択した場合には、製版、印刷動作を行う際に必ず排版動作を行うことを特徴とする。
また、本発明の第１３の手段は、第９の手段の印刷制御方法において、前記記憶部材より読み出された最終使用履歴情報により一定期間以上使用履歴が無いと判定され、前記記憶装置に記憶された最終使用の状態情報により前記印刷ドラムに版が有る状態で使用が終了されていたと判定され、前記記憶部材より読み出された最終使用の状態情報により前記印刷ドラムに版が無い状態で使用が終了されていたと判定された場合に、前記操作パネル上からのユーザーの選択がドラム上に版が無いと選択した場合には、製版、印刷動作を行う際に排版動作を行わないことを特徴とする。
【００１６】
本発明の第１４の手段は、第９の手段の印刷制御方法において、前記記憶部材より読み出された最終使用履歴情報により一定期間以上使用履歴が無いと判定され、前記記憶装置に記憶された最終使用の状態情報により前記印刷ドラムに版が無い状態で使用が終了されていたと判定され、前記記憶部材より読み出された最終使用の状態情報により前記印刷ドラムに版が有る状態で使用が終了されていたと判定された場合に、前記操作パネル上からのユーザーの選択がドラム上に版が有ると選択した場合には、製版、印刷動作を行う際に必ず排版動作を行うことを特徴とする。
また、本発明の第１５の手段は、第９の手段の印刷制御方法において、前記記憶部材より読み出された最終使用履歴情報により一定期間以上使用履歴が無いと判定され、前記記憶装置に記憶された最終使用の状態情報により前記印刷ドラムに版が無い状態で使用が終了されていたと判定され、前記記憶部材より読み出された最終使用の状態情報により前記印刷ドラムに版が有る状態で使用が終了されていたと判定された場合に、前記操作パネル上からのユーザーの選択がドラム上に版が無いと選択した場合には、製版、印刷動作を行う際に排版動作を行わないことを特徴とする。
【００１７】
本発明の第１６の手段は、第９の手段の印刷制御方法において、前記記憶部材より読み出された最終使用履歴情報により一定期間以上使用履歴が無いと判定され、前記記憶装置に記憶された最終使用の状態情報により前記印刷ドラムに版が無い状態で使用が終了されていたと判定され、前記記憶部材より読み出された最終使用の状態情報により前記印刷ドラムに版が無い状態で使用が終了されていたと判定された場合に、前記操作パネル上からのユーザーの選択がドラム上に版が有ると選択した場合には、製版、印刷動作を行う際に必ず排版動作を行うことを特徴とする。
また、本発明の第１７の手段は、第９の手段の印刷制御方法において、前記記憶部材より読み出された最終使用履歴情報により一定期間以上使用履歴が無いと判定され、前記記憶装置に記憶された最終使用の状態情報により前記印刷ドラムに版が無い状態で使用が終了されていたと判定され、前記記憶部材より読み出された最終使用の状態情報により前記印刷ドラムに版が無い状態で使用が終了されていたと判定された場合に、前記操作パネル上からのユーザーの選択がドラム上に版が無いと選択した場合には、製版、印刷動作を行う際に排版動作を行わないことを特徴とする。
【００１８】
本発明の第１８の手段は、印刷ドラムを有するドラム装置を備えた印刷部と、画像情報に応じて版に製版を行い印刷ドラムに給版する製版部と、前記印刷ドラムから使用済の版を排版する排版部と、前記印刷部に用紙を給紙する給紙部と、印刷された用紙を排紙する排紙部と、これら各部を制御する制御部と、各種情報の表示や各種設定を行うための操作パネルを備え、前記ドラム装置の印刷ドラムの外周面に巻装される製版済みの版に対してドラム内部からインキを供給し、版に対して用紙を圧接することで版の製版画像に対応する画像を印刷する孔版印刷装置において、前記ドラム装置または該ドラム装置に装着のインキ収納部材のいずれか一方に記憶部材を備えるとともに、該記憶部材へ種々の情報の書き込みや読み込みが可能な書き込み手段を備え、前記制御部は、第１〜第１７のいずれか１つの手段の印刷制御方法により、排版、製版、印刷動作の制御を行うことを特徴とする。
【００１９】
本発明の第１９の手段は、第１８の手段の孔版印刷装置において、前記記憶部材として、ＩＣチップを有するタグ（ＩＣタグ）を用い、前記書き込み手段として、ＩＣチップ用の書き込み装置（ＩＣチップ・リード・ライター）を備えたことを特徴とする。
また、本発明の第２０の手段は、第１８または第１９の手段の孔版印刷装置において、印刷装置本体の前記制御部に記憶装置を備え、該記憶装置には、印刷終了時に、前記ドラム装置の最終使用履歴情報及び、最終使用の状態情報が随時更新されて記憶されることを特徴とする。
【００２０】
本発明の第２１の手段は、第１８または第１９の手段の孔版印刷装置において、前記印刷ドラム上の版の有無を検知する版検出手段を備え、前記制御部は、印刷終了時に前記版検出手段により前記印刷ドラム上の版の有無を検知し、その検知情報を最終使用の状態情報の一つとして、前記記憶部材（ＩＣタグ等）に書き込むことを特徴とする。
また、本発明の第２２の手段は、第２０の手段の孔版印刷装置において、前記印刷ドラム上の版の有無を検知する版検出手段を備え、前記制御部は、印刷終了時に前記版検出手段により前記印刷ドラム上の版の有無を検知し、その検知情報を最終使用の状態情報の一つとして、前記記憶部材に書き込むとともに、前記記憶装置に記憶することを特徴とする。
【発明の効果】
【００２１】
本発明の第１の手段の印刷制御方法では、記憶部材には、印刷終了時に、ドラム装置の最終使用履歴情報及び、最終使用の状態情報が随時更新されて保存され、印刷の開始時には、記憶部材に保存された最終使用履歴情報及び、最終使用の状態情報を読み出し、読み出した最終使用履歴情報に基づいて一定期間内に使用履歴があるか否かを判定し、その判定結果に基づいて排版、製版、印刷動作の制御を行うことにより、一定期間使用されることのなかった印刷ドラムを用いた際にも、正常で良好な印刷を行うことが可能となる。
【００２２】
本発明の第２の手段の印刷制御方法では、記憶部材より読み出された最終使用履歴情報により一定期間以上使用履歴が無いと判定され、記憶部材の最終使用の状態情報により印刷ドラムに版が有る状態で使用が終了されていたと判定された場合には、製版、印刷動作を行う際に必ず排版動作を行うことにより、「最終印刷時に印刷ドラムに版が巻いて有り、その後一定期間使用されることのなかった印刷ドラムを用いた際に、インキが緩み、滲むことで、版検出手段が版の有無を誤検知してしまい、版があるのに排版動作を行わず、装置の故障や異常画像が発生する」ということを未然に防止することができ、良好な印刷を行うことが可能となる。
【００２３】
本発明の第３の手段の印刷制御方法では、記憶部材より読み出された最終使用履歴情報により一定期間以上使用履歴が無いと判定され、記憶部材の最終使用の状態情報により印刷ドラムに版が無い状態で使用が終了されていたと判定された場合には、製版、印刷動作を行う際に排版動作を行わないことにより、「最終印刷時に印刷ドラムに版が巻いて無く、その後一定期間使用されることのなかった印刷ドラムを用いた際に、インキが緩み、滲むことで、版検出手段が版の有無を誤検知してしまい、版が無いのに排版動作を行って排版ジャムとなる」ということを未然に防止することができ、良好な印刷を行うことが可能となる。
【００２４】
本発明の第４の手段の印刷制御方法では、記憶部材より読み出された最終使用履歴情報により一定期間以上使用履歴が無いと判定された場合、ユーザーに印刷ドラムの状態の確認を仰ぐメーセージを操作パネル上に表示し、該操作パネルからユーザーがドラム上の版の有無を確認した結果を選択するようにし、記憶部材の最終使用の状態情報と、ユーザーによって選択された情報とによって、所定の製版、印刷処理制御を行うことにより、一定期間使用されることのなかった印刷ドラムを用いた際に、記憶部材の情報による判定のみならず、ユーザーに印刷ドラムの版の状態を確認させるメッセージを出し、版の有無を選択させることで、より多くの状況（例えば記憶部材の誤情報等）に対しても正常で良好な印刷を行うことが可能となる。
【００２５】
本発明の第５の手段の印刷制御方法では、記憶部材より読み出された最終使用履歴情報により一定期間以上使用履歴が無いと判定され、記憶部材の最終使用の状態情報により印刷ドラムに版が有る状態で使用が終了されていたと判定された場合に、操作パネル上からのユーザーの選択がドラム上に版が有ると選択した場合には、製版、印刷動作を行う際に必ず排版動作を行うことにより、「最終印刷時に印刷ドラムに版が巻いて有り、その後一定期間使用されることのなかった印刷ドラムを用いた際に、インキが緩み、滲むことで、版検出手段が版の有無を誤検知してしまい、版があるのに排版動作を行わず、装置の故障や異常画像が発生する」ということを確実に防止することができ、良好な印刷を行うことが可能となる。
【００２６】
本発明の第６の手段の印刷制御方法では、記憶部材より読み出された最終使用履歴情報により一定期間以上使用履歴が無いと判定され、記憶部材の最終使用の状態情報により印刷ドラムに版が有る状態で使用が終了されていたと判定された場合に、操作パネル上からのユーザーの選択がドラム上に版が無いと選択した場合には、製版、印刷動作を行う際に排版動作を行わないことにより、記憶部材の最終使用の状態情報が間違って記憶されていた場合にも、ユーザーによる版の有無の選択を優先するので、「最終印刷時に印刷ドラムに版が巻いて無く、その後一定期間使用されることのなかった印刷ドラムを用いた際に、インキが緩み、滲むことで、版検出手段が版の有無を誤検知してしまい、版が無いのに排版動作を行って排版ジャムとなる」ということを確実に防止することができ、良好な印刷を行うことが可能となる。
【００２７】
本発明の第７の手段の印刷制御方法では、記憶部材より読み出された最終使用履歴情報により一定期間以上使用履歴が無いと判定され、記憶部材の最終使用の状態情報により印刷ドラムに版が無い状態で使用が終了されていたと判定された場合に、操作パネル上からのユーザーの選択がドラム上に版が有ると選択した場合には、製版、印刷動作を行う際に必ず排版動作を行うことにより、記憶部材の最終使用の状態情報が間違って記憶されていた場合にも、ユーザーによる版の有無の選択を優先するので、「最終印刷時に印刷ドラムに版が巻いて有り、その後一定期間使用されることのなかった印刷ドラムを用いた際に、インキが緩み、滲むことで、版検出手段が版の有無を誤検知してしまい、版があるのに排版動作を行わず、装置の故障や異常画像が発生する」ということを確実に防止することができ、良好な印刷を行うことが可能となる。
【００２８】
本発明の第８の手段の印刷制御方法では、記憶部材より読み出された最終使用履歴情報により一定期間以上使用履歴が無いと判定され、記憶部材の最終使用の状態情報により印刷ドラムに版が無い状態で使用が終了されていたと判定された場合に、操作パネル上からのユーザーの選択がドラム上に版が無いと選択した場合には、製版、印刷動作を行う際に排版動作を行わないことにより、「最終印刷時に印刷ドラムに版が巻いて有り、その後一定期間使用されることのなかった印刷ドラムを用いた際に、インキが緩み、滲むことで、版検出手段が版の有無を誤検知してしまい、版があるのに排版動作を行わず、装置の故障や異常画像が発生する」ということを確実に防止することができ、良好な印刷を行うことが可能となる。
【００２９】
本発明の第９の手段の印刷制御方法では、印刷装置本体に記憶装置を備え、該記憶装置には、印刷終了時に、ドラム装置の最終使用履歴情報及び、最終使用の状態情報が随時更新されて記憶され、印刷の開始時には、記憶装置に保存された最終使用履歴情報及び、最終使用の状態情報と、記憶部材より読み出された最終使用履歴情報及び、最終使用の状態情報とを対比させ、記憶部材より読み出された最終使用履歴情報により一定期間以上使用履歴が無いと判定された場合、ユーザーに印刷ドラムの状態の確認を仰ぐメーセージを操作パネル上に表示し、該操作パネルからユーザーがドラム上の版の有無を確認した結果を選択するようにし、記憶装置に記憶された最終使用の状態情報と、記憶部材の最終使用の状態情報と、ユーザーに選択された情報とによって所定の製版、印刷処理制御を行うことにより、印刷ドラムが交換され、一定期間使用されることのなかった印刷ドラムを用いた際に、記憶装置の情報と記憶部材の情報の対比により印刷ドラムが別のドラムに変更されたことを検知でき、さらには、ユーザーに印刷ドラムの版の状態を確認させるメッセージを出し、版の有無を選択させることで、印刷ドラムが変更された際にも正常で良好な印刷を行うことが可能となる。
【００３０】
本発明の第１０の手段の印刷制御方法では、記憶部材より読み出された最終使用履歴情報により一定期間以上使用履歴が無いと判定され、記憶装置に記憶された最終使用の状態情報により印刷ドラムに版が有る状態で使用が終了されていたと判定され、記憶部材より読み出された最終使用の状態情報により印刷ドラムに版が有る状態で使用が終了されていたと判定された場合に、操作パネル上からのユーザーの選択がドラム上に版が有ると選択した場合には、製版、印刷動作を行う際に必ず排版動作を行うことにより、印刷ドラムが変更された際にも、「最終印刷時に印刷ドラムに版が巻いて有り、その後一定期間使用されることのなかった印刷ドラムを用いた際に、インキが緩み、滲むことで、版検出手段が版の有無を誤検知してしまい、版があるのに排版動作を行わず、装置の故障や異常画像が発生する」ということを確実に防止することができ、良好な印刷を行うことが可能となる。
【００３１】
本発明の第１１の手段の印刷制御方法では、記憶部材より読み出された最終使用履歴情報により一定期間以上使用履歴が無いと判定され、記憶装置に記憶された最終使用の状態情報により印刷ドラムに版が有る状態で使用が終了されていたと判定され、記憶部材より読み出された最終使用の状態情報により印刷ドラムに版が有る状態で使用が終了されていたと判定された場合に、操作パネル上からのユーザーの選択がドラム上に版が無いと選択した場合には、製版、印刷動作を行う際に排版動作を行わないことにより、印刷ドラムが変更され、また、記憶部材の最終使用の状態情報が間違って記憶されていた場合にも、ユーザーによる版の有無の選択を優先するので、「最終印刷時に印刷ドラムに版が巻いて無く、その後一定期間使用されることのなかった印刷ドラムを用いた際に、インキが緩み、滲むことで、版検出手段が版の有無を誤検知してしまい、版が無いのに排版動作を行って排版ジャムとなる」ということを確実に防止することができ、良好な印刷を行うことが可能となる。
【００３２】
本発明の第１２の手段の印刷制御方法では、記憶部材より読み出された最終使用履歴情報により一定期間以上使用履歴が無いと判定され、記憶装置に記憶された最終使用の状態情報により印刷ドラムに版が有る状態で使用が終了されていたと判定され、記憶部材より読み出された最終使用の状態情報により印刷ドラムに版が無い状態で使用が終了されていたと判定された場合に、前記操作パネル上からのユーザーの選択がドラム上に版が有ると選択した場合には、製版、印刷動作を行う際に必ず排版動作を行うことにより、印刷ドラムが変更され、また、記憶部材の最終使用の状態情報が間違って記憶されていた場合にも、ユーザーによる版の有無の選択を優先するので、「最終印刷時に印刷ドラムに版が巻いて有り、その後一定期間使用されることのなかった印刷ドラムを用いた際に、インキが緩み、滲むことで、版検出手段が版の有無を誤検知してしまい、版があるのに排版動作を行わず、装置の故障や異常画像が発生する」ということを確実に防止することができ、良好な印刷を行うことが可能となる。
【００３３】
本発明の第１３の手段の印刷制御方法では、記憶部材より読み出された最終使用履歴情報により一定期間以上使用履歴が無いと判定され、記憶装置に記憶された最終使用の状態情報により印刷ドラムに版が有る状態で使用が終了されていたと判定され、記憶部材より読み出された最終使用の状態情報により印刷ドラムに版が無い状態で使用が終了されていたと判定された場合に、操作パネル上からのユーザーの選択がドラム上に版が無いと選択した場合には、製版、印刷動作を行う際に排版動作を行わないことにより、印刷ドラムが変更された際にも、「最終印刷時に印刷ドラムに版が巻いて無く、その後一定期間使用されることのなかった印刷ドラムを用いた際に、インキが緩み、滲むことで、版検出手段が版の有無を誤検知してしまい、版が無いのに排版動作を行って排版ジャムとなる」ということを確実に防止することができ、良好な印刷を行うことが可能となる。
【００３４】
本発明の第１４の手段は、第９の手段の印刷制御方法において、記憶部材より読み出された最終使用履歴情報により一定期間以上使用履歴が無いと判定され、記憶装置に記憶された最終使用の状態情報により前記印刷ドラムに版が無い状態で使用が終了されていたと判定され、記憶部材より読み出された最終使用の状態情報により印刷ドラムに版が有る状態で使用が終了されていたと判定された場合に、操作パネル上からのユーザーの選択がドラム上に版が有ると選択した場合には、製版、印刷動作を行う際に必ず排版動作を行うことにより、印刷ドラムが変更された際にも、「最終印刷時に印刷ドラムに版が巻いて有り、その後一定期間使用されることのなかった印刷ドラムを用いた際に、インキが緩み、滲むことで、版検出手段が版の有無を誤検知してしまい、版があるのに排版動作を行わず、装置の故障や異常画像が発生する」ということを確実に防止することができ、良好な印刷を行うことが可能となる。
【００３５】
本発明の第１５の手段の印刷制御方法では、記憶部材より読み出された最終使用履歴情報により一定期間以上使用履歴が無いと判定され、記憶装置に記憶された最終使用の状態情報により印刷ドラムに版が無い状態で使用が終了されていたと判定され、記憶部材より読み出された最終使用の状態情報により印刷ドラムに版が有る状態で使用が終了されていたと判定された場合に、操作パネル上からのユーザーの選択がドラム上に版が無いと選択した場合には、製版、印刷動作を行う際に排版動作を行わないことにより、印刷ドラムが変更され、また、記憶部材の最終使用の状態情報が間違って記憶されていた場合にも、ユーザーによる版の有無の選択を優先するので、「最終印刷時に印刷ドラムに版が巻いて無く、その後一定期間使用されることのなかった印刷ドラムを用いた際に、インキが緩み、滲むことで、版検出手段が版の有無を誤検知してしまい、版が無いのに排版動作を行って排版ジャムとなる」ということを確実に防止することができ、良好な印刷を行うことが可能となる。
【００３６】
本発明の第１６の手段の印刷制御方法では、記憶部材より読み出された最終使用履歴情報により一定期間以上使用履歴が無いと判定され、記憶装置に記憶された最終使用の状態情報により印刷ドラムに版が無い状態で使用が終了されていたと判定され、記憶部材より読み出された最終使用の状態情報により印刷ドラムに版が無い状態で使用が終了されていたと判定された場合に、操作パネル上からのユーザーの選択がドラム上に版が有ると選択した場合には、製版、印刷動作を行う際に必ず排版動作を行うことにより、印刷ドラムが変更され、また、記憶部材の最終使用の状態情報が間違って記憶されていた場合にも、ユーザーによる版の有無の選択を優先するので、「最終印刷時に印刷ドラムに版が巻いて有り、その後一定期間使用されることのなかった印刷ドラムを用いた際に、インキが緩み、滲むことで、版検出手段が版の有無を誤検知してしまい、版があるのに排版動作を行わず、装置の故障や異常画像が発生する」ということを確実に防止することができ、良好な印刷を行うことが可能となる。
【００３７】
本発明の第１７の手段の印刷制御方法では、記憶部材より読み出された最終使用履歴情報により一定期間以上使用履歴が無いと判定され、記憶装置に記憶された最終使用の状態情報により印刷ドラムに版が無い状態で使用が終了されていたと判定され、記憶部材より読み出された最終使用の状態情報により印刷ドラムに版が無い状態で使用が終了されていたと判定された場合に、操作パネル上からのユーザーの選択がドラム上に版が無いと選択した場合には、製版、印刷動作を行う際に排版動作を行わないことにより、印刷ドラムが変更された際にも、「最終印刷時に印刷ドラムに版が巻いて無く、その後一定期間使用されることのなかった印刷ドラムを用いた際に、インキが緩み、滲むことで、版検出手段が版の有無を誤検知してしまい、版が無いのに排版動作を行って排版ジャムとなる」ということを確実に防止することができ、良好な印刷を行うことが可能となる。
【００３８】
本発明の第１８の手段の孔版印刷装置では、ドラム装置または該ドラム装置に装着のインキ収納部材のいずれか一方に記憶部材を備えるとともに、該記憶部材へ種々の情報の書き込みや読み込みが可能な書き込み手段を備え、制御部は、第１〜第１７のいずれか１つの手段の印刷制御方法により、排版、製版、印刷動作の制御を行うことにより、一定期間使用されることのなかった印刷ドラムを用いた際にも、正常で良好な印刷を行うことが可能となり、「最終印刷時に印刷ドラムに版が巻いて有り、その後一定期間使用されることのなかった印刷ドラムを用いた際に、インキが緩み、滲むことで、版検出手段が版の有無を誤検知してしまい、版があるのに排版動作を行わず、装置の故障や異常画像が発生する」ということや、「最終印刷時に印刷ドラムに版が巻いて無く、その後一定期間使用されることのなかった印刷ドラムを用いた際に、インキが緩み、滲むことで、版検出手段が版の有無を誤検知してしまい、版が無いのに排版動作を行って排版ジャムとなる」ということを確実に防止して、良好な印刷を行うことが可能となる。
【００３９】
本発明の第１９の手段の孔版印刷装置では、前記記憶部材として、ＩＣチップを有するタグ（ＩＣタグ）を用い、前記書き込み手段として、ＩＣチップ用の書き込み装置（ＩＣチップ・リード・ライター）を備えたことにより、簡易な構成で、ドラム装置の最終使用履歴情報及び、最終使用の状態情報を随時更新して保存することができる。
また、本発明の第２０の手段の孔版印刷装置では、印刷装置本体の制御部に記憶装置を備え、該記憶装置には、印刷終了時に、前記ドラム装置の最終使用履歴情報及び、最終使用の状態情報が随時更新されて記憶されることにより、この記憶装置の情報と、記憶部材（ＩＣタグ）の情報の対比により、容易に印刷ドラムが変更（交換）されたことを検知することができ、適切な印刷制御を行うことができる。
【００４０】
本発明の第２１の手段の孔版印刷装置では、印刷ドラム上の版の有無を検知する版検出手段を備え、制御部は、印刷終了時に版検出手段により印刷ドラム上の版の有無を検知し、その検知情報を最終使用の状態情報の一つとして、記憶部材（ＩＣタグ等）に書き込むことにより、印刷ドラムの最終使用の状態情報を自動的に更新することができる。
また、本発明の第２２の手段の孔版印刷装置では、印刷ドラム上の版の有無を検知する版検出手段を備え、制御部は、印刷終了時に版検出手段により印刷ドラム上の版の有無を検知し、その検知情報を最終使用の状態情報の一つとして、記憶部材に書き込むとともに、記憶装置に記憶することにより、印刷ドラムの最終使用の状態情報を自動的に更新することができ、また、記憶装置の情報と、記憶部材（ＩＣタグ）の情報の対比により、容易に印刷ドラムが変更（交換）されたことを検知することができ、適切な印刷制御を行うことができる。
【発明を実施するための最良の形態】
【００４１】
以下、本発明の構成、動作の一実施形態を図面を参照して詳細に説明する。
まず、図１〜３に基づいて、本発明に係る孔版印刷装置の全体構成及び製版、印刷プロセスの概要を説明する。
図１は本発明の一実施形態を示す孔版印刷装置の概略構成図である。この孔版印刷装置では、装置本体１の上部には原稿画像を読取る画像読取部２が設けられている。その画像読取部２の下方の装置本体１内の略中央部には、印刷部を構成するドラム装置として多孔性の版胴やインキ供給手段等で構成される印刷ドラム２０が設けられている。印刷ドラム２０の右側には製版部９が設けられ、印刷ドラム２０の左側には排版部３８が設けられている。また、製版部９の下方には給紙部３０が、印刷ドラム２０の下方には押圧手段としての圧胴３１が、排版部３８の下方には排紙部５０として排紙搬送手段５１及び排紙台４８が、それぞれ設けられている。
【００４２】
印刷ドラム２０を構成する版胴は、インキ供給管を兼ねた支軸２１に回転自在に支持された一対のフランジ（図示せず）と、各フランジの外周面に巻装された多孔性支持板とから主に構成されており、図示しない版胴駆動手段によって図１において図中の矢印Ａの方向に回転駆動される。支軸１２の表面にはインキ供給手段にインキを供給するための複数の小さな孔が穿設されており、各フランジは図示しない軸受を介して支軸１２に回転自在に支持されている。また、上記インキ供給管を兼ねた支軸２１のドラム外の部分には、供給用のインキを収納したインキ収納部材（例えば、インキパックやインキタンク）が着脱可能に装着されている。
【００４３】
ステンレスの薄板等で形成される多孔性支持板は、多数の開孔が穿設された開孔部と非開孔部とを有しており、開孔部の周方向長さはＡ３サイズ等の用紙に対して印刷を行うことが可能な長さに形成されている。非開孔部には印刷ドラム２０の一母線と平行な平面を有するステージ部が配設されており、ステージ部の上面には後述する版（マスタとも言う）１１の先端を係止する係止手段としての開閉自在なクランパ２５が配設されている。多孔性支持板の開孔部の外側には、ポリエステルあるいはステンレスの細線等からなる図示しないメッシュスクリーンが１〜３層程度巻装されている。
【００４４】
印刷ドラム２０の内部であって支軸１２の下方に位置する部位には、インキローラ２２及びドクターローラ２３等を有するインキ供給手段が配設されている。インキローラ２２は、各フランジ間の支軸１２上に固着された図示しない一対の側板間に回転自在に支持されており、図示しない駆動手段によって印刷ドラム２０と同方向に回転駆動される。ドクターローラ２３は、その周面をインキローラ２２の周面に近接させて前記側板間に回転自在に配置されており、図示しない駆動手段によってインキローラ２２とは逆方向に回転駆動される。インキローラ２２とドクターローラ２３との近接部において、支軸１２より供給されたインキにより断面楔形状のインキ溜まり２４が形成される。また、印刷ドラム２０には図示しないエンコーダが取り付けられており、印刷ドラム２０の位置情報は後述する制御部６０に入力される。
【００４５】
印刷ドラム２０の下方には押圧手段である圧胴３１が配設されており、この圧胴３１には印刷用紙を係止する用紙係止部材３１ａが設けられている。なお、押圧手段としては、圧胴の他に、印刷ドラム２０に接離可能なプレスローラ等を用いることができる。
印刷ドラム２０の左下方近傍には、印刷ドラム２０に巻装された版が有るか否かを検知する版検出手段２６が配置されており、この版検出手段２６の検知情報は後述する制御部６０に入力される。
【００４６】
印刷ドラム（印刷部）２０の右上方には製版部９が配設されている。製版部９は、版１１をロール状に貯容する版ロール１０と、プラテンローラ１２、サーマルヘッド１３、切断手段であるカッタ１４，１５、テンションローラ対１６ａ，１６ｂ、版搬送ローラ対１８ａ，１８ｂ等を有するユニットとして構成されており、装置本体１に対して着脱可能に構成されている。
【００４７】
熱可塑性樹脂フィルムと多孔性支持体とを貼り合わせた版（マスタ）１１をロール状に巻成してなる版ロール（マスタロールとも言う）１０は、図示しない版ロール保持部材によって回転自在に支持されている。
この版ロール１０よりも版搬送方向下流側には、プラテンローラ１２及びサーマルヘッド１３が配設されている。プラテンローラ１２は製版部９の図示しない側板に回転自在に支持されており、製版部９に取り付けられたステッピングモータによって回転駆動される。
【００４８】
上面に多数の発熱素子を有するサーマルヘッド１３は製版部９の図示しない側板に取り付けられており、図示しない付勢手段の付勢力によってその上面をプラテンローラ１２の周面に所定の圧接力で圧接されている。サーマルヘッド１３は、版１１の熱可塑性樹脂フィルム面に接触しつつ各発熱素子を選択的に発熱させ、版１１に対して熱溶融穿孔製版を行う。
【００４９】
プラテンローラ１２及びサーマルヘッド１３よりも版搬送方向下流側には、版１１を切断するカッタ１４，１５が配設されている。このカッタは可動刃１４と固定刃１５からなり、製版部９に固定された固定刃１５に対して可動刃１４が回転移動することにより版１１を切断する構成である。
【００５０】
カッタ１４，１５よりも版搬送方向下流側には、テンションローラ対１６ａ，１６ｂ及び版搬送ローラ対１８ａ，１８ｂ等が配設されている。テンションローラ対１６ａ，１６ｂ及び版搬送ローラ対２５，２６は、図示しない駆動手段によって互いに同期して回転駆動される駆動ローラ１６ａ，１８ａと、図示しない付勢手段によって各駆動ローラ１６ａ，１８ａにそれぞれ圧接された従動ローラ１６ｂ，１８ｂとから構成されている。各駆動ローラ１６ａ，１８ａには図示しないクラッチがそれぞれ設けられており、各駆動ローラ１６ａ，１８ａは駆動手段に負荷を掛けずに外力によって回転可能に構成されている。
【００５１】
テンションローラ対１６ａ，１６ｂと版搬送ローラ対１８ａ，１８ｂの間には、給版待機時の製版済みの版１１のたるみを収容するボックス１７が設けられている。また、版搬送ローラ対１８ａ，１８ｂよりも版搬送方向下流側には図示しない版ガイド板が配設されている。版ガイド板は製版部９の図示しない側板に固着されており、版搬送ローラ対１８ａ，１８ｂによって搬送される版１１をガイドし、版１１の先端を印刷ドラム２０の外周面へと案内する。
【００５２】
製版部９の下方には給紙部３０が配設されている。給紙部３０は、給紙トレイ３２、給紙コロ３４、分離コロ対３５ａ、３５ｂ、レジストローラ対３７ａ，３７ｂ等を有している。
上面に多数の用紙３３を積載する給紙トレイ３２は装置本体１に上下動自在に支持されており、図示しない昇降手段によって上下動される。給紙トレイ３２には、積載された用紙３３のサイズを検出する用紙サイズ検出手段としての図示しない複数の用紙サイズ検出センサと、用紙３３をガイドする図示しない一対のサイドフェンスとが設けられている。各センサはそれぞれ反射型センサからなり、サイドフェンスは用紙搬送方向と直交する用紙幅方向にそれぞれ同期して移動自在な周知の構成である。本実施形態において、用紙サイズ検出センサは、ハガキ縦、Ａ５縦、Ｂ５縦横、Ａ４縦横、Ｂ４横、Ａ３横の各定形サイズを検出可能に構成されている。
【００５３】
給紙トレイ３２の上方には表面に高摩擦抵抗部材を有する給紙コロ３４が配設されており、その用紙搬送方向下流側には同様に表面に高摩擦抵抗部材を有する分離コロ対３５ａ，３５ｂが配設されている。給紙コロ３４は給紙トレイ３２上の用紙３３と所定の圧力で圧接し、給紙コロ３４及び分離コロ３５ａは、ギヤやベルト等の図示しない駆動力伝達手段を介して、図示しない共通のステッピングモータによって図１の時計回り方向に、互いに同期して回転駆動される。分離コロ３５ｂは所定の圧接力で分離コロ３５ａに圧接配置されており、図１の時計回り方向に間欠回転可能に構成されている。
【００５４】
分離コロ対３５ａ，３５ｂよりも用紙搬送方向下流側には、レジストローラ対３７ａ，３７ｂが配設されている。駆動ローラ３７ａと従動ローラ３７ｂとからなるレジストローラ対は、図示しないドラム駆動手段からの回転駆動力をギヤやカム等の図示しない駆動力伝達手段によって伝達されることにより駆動ローラ３７ａが印刷ドラム２０と同期した所定のタイミングで回転し、この駆動ローラ３７ａに圧接された従動ローラ３７ｂとによって用紙３３を印刷部の印刷ドラム２０へ向けて給送する。
【００５５】
印刷ドラム２０の左上方には排版部３８が配設されている。排版部３８は、排版剥離ローラ対３９ａ、３９ｂと排版コロ対４１ａ、４１ｂに掛け回された排版搬送ベルト対４０ａ、４０ｂと、圧縮板４２、排版ボックス４３等を有している。
排版剥離ローラ対３９ａ、３９ｂは、図示しない駆動手段によって回転駆動されることによって排版搬送ベルト対４０ａ、４０ｂを回動する。また、下側の排版搬送ベルト４０ｂは図示しない移動手段によって移動自在に構成されており、図１に示す位置と印刷ドラム２０の外周面に当接する位置とに選択的に移動される。
内部に使用済み版１１を収納する排版ボックス４３は、装置本体１に対して着脱自在に構成されている。排版搬送ベルト対４０ａ、４０ｂによって排版ボックス４３内に運ばれた使用済み版１１を圧縮する圧縮板４２は、図示しない昇降手段によって上下動する。
【００５６】
排版部３８の下方には排紙部５０が配設されている。排紙部５０は、排紙剥離爪４４、排紙搬送手段５１、排紙トレイ４８等を有している。印刷ドラム２０の外周面上より印刷済みの用紙３３を剥離する排紙剥離爪４４は、支軸によって排紙部５０の図示しない側板に揺動自在に支持されており、図示しない爪揺動手段によって、その先端が印刷ドラム２０の外周面に近接する位置と、その先端が印刷ドラム２０の回転によって移動するクランパ２５等の障害物と干渉しない位置とに選択的に揺動される。
【００５７】
排紙搬送手段５１は、吸着排紙入口ローラ４５ａ、吸着排紙出口ローラ４５ｂ、搬送ベルト４６、吸着用ファン５７等を有している。吸着排紙出口ローラ４５ｂは図示しないユニット側板に回転自在に支持されており、図示しない回転駆動手段によって回転駆動される。吸着排紙入口ローラ４５ａも同側板に回転自在に支持されており、吸着排紙入口ローラ４５ａと吸着排紙出口ローラ４５ｂ間には複数の開孔を有する搬送ベルト４６が掛け渡されている。搬送ベルト４６の下方には、筐体状を呈する図示しないユニット本体の底面に取り付けられた吸着用ファン４７が配設されている。排紙搬送手段５１は、吸着用ファン４７の吸引力によって搬送ベルト４６上に印刷済用紙３３を吸引し、排紙トレイ４８に用紙３３を搬送する。
【００５８】
排紙搬送手段５１によって搬送される印刷済みの用紙３３をその上面に積載する排紙トレイ４８は、用紙幅方向に移動自在な一対のサイドフェンスと、用紙搬送方向に移動自在な一つのエンドフェンスとを有している。サイドフェンスは用紙幅方向にそれぞれ同期して移動自在な周知の構成である。
【００５９】
装置本体１の上部には画像読取部２が配設されている。画像読取部２は、原稿３を載置するコンタクトガラス４、コンタクトガラス４に対して接離自在に設けられた圧板、原稿画像を走査して読み取るための照明ランプ５、ミラー群６、６ａ、６ｂを有する走査ユニット、走査された画像を集束するレンズ７、集束された画像を処理するＣＣＤ（電荷結合素子）等の画像センサ８等を有している。
また、コンタクトガラス４の下方にはコンタクトガラス４上に載置された原稿３の有無及びサイズを検出する原稿サイズ検出センサ（図示せず）が配置されている。本実施形態において、原稿サイズ検出センサは、ハガキ縦、Ａ５縦、Ｂ５縦横、Ａ４縦横、Ｂ４横、Ａ３横の各定形サイズを検出可能に構成されている。
【００６０】
次に、図２は図１に示す孔版印刷装置に用いられる制御系の一例を示すブロック図である。装置本体１の内部に配設された制御部６０は、演算処理装置であるＣＰＵ６１とメモリ（ＲＯＭ６２、ＲＡＭ６３）等からなる周知のマイクロコンピュータと、記憶装置６４、図示しないクロック、タイマー等の計時手段、図示しないカウンター等の計数手段等を有している。ＲＯＭ６１には孔版印刷装置１全体（画像読取部２、印刷部（ドラム装置）２０、製版部９、排版部３８、給紙部３０、排紙部５０等）の動作を制御するプログラムが記憶されており、ＲＡＭ１０１には原稿種類あるいは変倍率等の製版条件、印刷枚数あるいは印刷速度等の印刷条件等がそれぞれ記憶される。また、記憶装置６４としては、例えば種々の読み書き可能な不揮発性メモリ（種々のカード型メモリやフラッシュメモリ等）、ハードディスクドライブ（ＨＤＤ）等が適宜用いられ、この記憶装置６４には、後述する印刷部のドラム装置（印刷ドラム）２０の最終使用履歴情報や、最終使用の状態情報等の各種情報が記憶される。さらに制御部６０には、ユーザーに対して各種情報の表示を行ったり、ユーザーが各種設定を行うための操作パネル８０が接続されている。また、制御部６０には、ドラム装置またはドラム装置に装着のインキ収納部材（例えばインキパック等）のいずれか一方に設けた記憶部材（例えばＩＣタグ）７１に上記の最終使用履歴情報や、最終使用の状態情報等の各種情報を書き込んだり、読み出したりする書き込み装置（リード・ライターとも言う）が接続されている。さらにまた、制御部６０には、印刷ドラム上の版（マスタ）の有無を検出する版検出手段２６や、装置各部（画像読取部２、印刷部（ドラム装置）２０、製版部９、排版部３８、給紙部３０、排紙部５０等）に設けた図示しない各種センサが接続されている。
【００６１】
図３は、図１に示す孔版印刷装置の操作パネルの一例を示している。装置本体１の上部前面に設けられた操作パネル８０は、その上面に製版スタートキー８１、印刷スタートキー８２、試し刷りキー８３、連続キー８４、クリア／ストップキー８５、テンキー８６、エンターキー８７、プログラムキー８８、モードクリアキー８９、印刷速度設定キー９０、４方向キー９１、７セグメントＬＥＤからなる表示装置９２、ＬＣＤからなる表示装置９３、画像分割印刷を行うためのリピートキー１０２及び集約キー１０３、両面印刷を行うための両面キー１０４とその表示ランプ１０４ａ、片面印刷を行うための片面キー１０５とその表示ランプ１０５ａ等を有している。
【００６２】
製版スタートキー８１は印刷装置１に製版動作を行わせる際に押下され、各種製版条件が設定された後に製版スタートキー８１が押下されると排版動作及び画像読取動作が行われた後に製版動作が行われ、その後、版付け動作が行われて印刷装置１は印刷待機状態となる。印刷スタートキー８２は印刷装置１に印刷動作を行わせる際に押下され、印刷装置１が印刷待機状態となり各種印刷条件が設定された後に印刷スタートキー８２が押下されることにより印刷動作が行われる。試し刷りキー８３は印刷装置１に試し刷りを行わせる際に押下され、各種条件が設定された後に試し刷りキー８３が押下されることにより１枚だけ印刷が行われる。連続キー８４は製版動作と印刷動作とを連続して行う際に製版スタートキー８１の押下前に押下され、連続キー８４の押下後、製版条件及び印刷条件が入力された後に製版スタートキー８１が押下されると、排版動作、画像読取動作、製版動作、版付け動作に引き続いて印刷動作が行われる。
【００６３】
クリア／ストップキー８５は印刷装置１の動作を停止させる際や置数のクリア時に押下され、テンキー８６は数値入力に用いられる。エンターキー８７は各種設定時に数値等を決定する際に、プログラムキー８８はよく行う操作を登録したりそれを呼び出したりする際にそれぞれ押下され、モードクリアキー８９は各種のモードをクリアして初期状態に戻す際に押下される。印刷速度設定キー９０は印刷動作に先立って印刷速度を設定する際に押下され、濃いめの画像を得たい場合や雰囲気温度が低い場合等には印刷速度を遅く、薄めの画像を得たい場合や雰囲気温度が高い場合等には印刷速度を速く設定する。４方向キー９１は、上キー９１ａ、下キー９１ｂ、左キー９１ｃ、右キー９１ｄを有しており、画像編集時等において画像位置を調整する場合や各種設定時に数値や項目を選択する場合等に押下される。
【００６４】
７セグメントＬＥＤからなる表示装置９２は、主に印刷枚数等の数字を表示する。ＬＣＤからなる表示装置９３は、初期状態時において図３に示すように原稿種類設定表示、変倍設定表示、用紙種類設定表示、位置調整設定表示を表示しており、各表示の下方には各表示に対応する選択設定キー９４，９５，９６，９７がそれぞれ配設されている。表示装置９３は階層表示構造となっており、図３に示された状態から選択設定キー９４が押下されると原稿画像モードとして文字モードや写真モード等を設定する原稿種類設定モードに、選択設定キー９５が押下されると自動変倍や独立変倍等を選択設定する変倍設定モードに、選択設定キー９６が押下されると使用される用紙として標準紙や厚紙等を設定する用紙種類設定モードに、選択設定キー９７が押下されると印刷位置を調整する位置調整設定モードにそれぞれモード設定され、表示装置９３の表示が各モードに対応してそれぞれ変化する。また、表示装置９３は、各種のエラー情報や警告の表示機能、各種の設定や選択情報の表示機能等も備えている。
【００６５】
リピートキー１０２及び集約キー１０３は、画像分割印刷を行う際に製版スタートキー８１の押下前に押下される。リピートキー１０２は、１枚の原稿の画像を１枚の用紙に複数形成するリピート印刷を行う際に押下され、集約キー１０３は、複数枚の原稿の画像を１枚の用紙に複数形成する集約印刷を行う際に押下される。
両面印刷を行うための両面キー１０４とその表示ランプ１０４ａ、片面印刷を行うための片面キー１０５とその表示ランプ１０５ａは、印刷装置が両面印刷可能な場合に設けられるものであり、両面印刷を行うか片面印刷を行うかを選択する際に押下される。
【００６６】
次に、以上の構成の孔版印刷装置の動作の一例について説明する。
コンタクトガラス４上に印刷すべき画像を持った原稿３を載置し、図３に示す操作パネル８０上で連続キー８４を押し、原稿種類、変倍率、用紙種類等の設定を行なった後、試し刷りキー８３を押し、製版スタートキー８１を押下する。この製版スタートキー８１の押下に伴い、必要に応じて排版工程が実行される。すなわち、印刷ドラム２０の外周面に前回の印刷で使用された使用済み版（図示せず）が装着されたまま残っている場合には、排版工程が実行される。なお、製版、印刷工程の開始に先立って、制御部６０でこの排版工程を行うか否かの判定を行う印刷制御方法については、後述の実施例で説明する。
【００６７】
排版工程が実行されると、印刷ドラム２０が時計回りに回転し、印刷ドラム２０の外周面上の使用済み版の後端部が排版剥離ローラ対３９ａ、３９ｂに近づくと、この排版剥離ローラ対３９ａ、３９ｂは回転しつつ使用済み版の後端部をすくい上げる。
使用済み版は、排版剥離ローラ対３９ａ、３９ｂの左側に配設された排版コロ対４１ａ、４１ｂと排版剥離ローラ対３９ａ、３９ｂとの間に掛け回された排版搬送ベルト対４０ａ、４０ｂで図中左方向へ搬送されつつ排版ボックス４３内へ排出され、印刷ドラム２０の外周面から引き剥がされて排版工程が終了する。このとき、印刷ドラム２０は時計回り方向への回転を続けている。剥離・排出された使用済み版は、その後、圧縮板４２により排版ボックス４３の内部で圧縮される。
【００６８】
排版工程と並行して、画像読取部２で画像読み取りが行われる。画像センサ８で光電変換された電気信号は、装置本体１内の図示しないアナログ／デジタル（Ａ／Ｄ）変換基板に入力され、デジタル画像信号に変換される。
一方、この画像読取り動作と並行して、デジタル信号化された画像情報に基づき製版及び給版工程が行われる。すなわち、製版部９の所定部位にセットされた版ロール１０の版１１は、ロール状態から引き出され、サーマルヘッド１３に版１１を介して押圧されているプラテンローラ１２、及びテンションローラ対１６ａ、１６ｂの回転により搬送路の下流側に搬送される。
このように搬送される版１１に対して、サーマルヘッド１３にライン状に並んだ複数個の微小な発熱素子が、図示しないＡ／Ｄ変換基板から送られてくるデジタル画像信号に応じて各々選択的に発熱し、発熱した発熱部に接触している版１１の熱可塑性樹脂フィルムが溶融穿孔される。このように、画像情報に応じた版１１の位置選択的な溶融穿孔により、画像情報が穿孔パターンとして書き込まれる。
【００６９】
画像情報が書き込まれた版１１の先端は、版給版ローラ対１８ａ、１８ｂにより印刷ドラム２０の外周面側へ向かって送り出され、図示しないガイド部材により進行方向を下方へ変えられ、給版位置状態にある印刷ドラム２０の拡開したクランパ２５（図１ではこの状態を示していない）へ向かって垂れ下がる。このとき印刷ドラム２０は、排版工程により使用済み版を既に除去されている。
製版済みの版１１の先端部が一定のタイミングでクランパ２５によりクランプされると、印刷ドラム２０は図中Ａ方向（時計回り方向）に回転しつつ外周面に製版済みの版１１を徐々に巻き付けていく。製版済みの版１１の後端部はカッタ１４、１５により一定の長さに切断される。
【００７０】
一版の製版済み版１１が印刷ドラム２０の外周面に巻装されると製版及び給版工程が終了し、印刷工程が開始される。先ず、給紙部３０の給紙台３２上に積載された印刷用紙３３のうちの最上位の１枚が、給紙コロ３４及び分離コロ対３５ａ、３５ｂによりフィードローラ対３７ａ、３７ｂに向けて送り出され、さらにレジストローラ対３７ａ、３７ｂにより印刷ドラム２０の回転と同期した所定のタイミングで印圧部（印刷ドラム２０と圧胴３１の当接部）に送られる。送り出された印刷用紙３３は、その先端部が圧胴３１の用紙係止部材３１ａにより係止され、圧胴３１の回転により搬送される。印刷用紙３３は圧胴３１により印刷ドラム２０の外周面に巻装された製版済みの版１１に押圧される。
【００７１】
このとき、印刷ドラム２０の内部では、支軸を兼ねたインキ供給管２１からインキローラ２２とドクターローラ２３との間に形成されたインキ溜り２４にインキが供給される。そして印刷ドラム２０の回転方向と同一方向に、且つ、印刷ドラム２０の回転速度と同期して回転しながら内周面に接触するインキローラ２２により、インキが印刷ドラム２０の内周側に供給される。
上記圧胴３１による押圧動作により、印刷ドラム２０の多孔性支持板及び製版済み版１１の穿孔パターン部（共に図示せず）からインキが滲み出し、この滲み出たインキが印刷用紙３３の表面に転移されて、印刷画像が形成される。
【００７２】
印圧部において印刷画像が形成された印刷用紙３３は、排紙剥離爪４４により印刷ドラム２０から剥がされ、排紙部５０の排紙搬送手段５１の吸着用ファン４７により搬送ベルト４６に吸着されつつ、吸着排紙入口ローラ４５ａ及び吸着排紙出口ローラ４５ｂに掛け渡された搬送ベルト４６の反時計回り方向の回転により、排紙トレイ４８へ向かって搬送され、順次排出積載される。このようにして所謂試し刷りが終了する。
【００７３】
次に、図３に示す操作パネル８０のテンキー８７で印刷枚数をセットし、印刷スタートキー８２を押下すると、上記試し刷りと同様の工程で印刷を開始し、給紙、印刷及び排紙の各工程がセットした印刷枚数分繰り返して行なわれ、印刷の全工程が終了する。
【００７４】
以上が本発明に係る孔版印刷装置の構成と、通常の製版、印刷動作の一例であるが、本発明の孔版印刷装置では、印刷部のドラム装置（印刷ドラム）２０またはドラム装置に装着のインキ収納部材（例えばインキパック）のいずれか一方に、記憶部材（例えばＩＣタグ等）７１を備えている。
この記憶部材７１には、印刷終了時に、ドラム装置（印刷ドラム）２０の最終使用履歴情報及び、最終使用の状態情報が随時更新されて保存され、印刷の開始時には、制御部６０は、記憶部材７１に保存された最終使用履歴情報及び、最終使用の状態情報を読み出し、読み出した最終使用履歴情報に基づいて一定期間内に使用履歴があるか否かを判定し、その判定結果に基づいて排版、製版、印刷動作の制御を行う。
【００７５】
記憶部材７１としては、磁気テープ等もあるが、書き込みや読み込みが容易で、記憶量も多いＩＣタグが好適である。
図示を省略するが、このＩＣタグは、シール状やシート状のタグに、情報を記憶するメモリを備えた周知のＩＣチップと、外部と無線通信を行うアンテナ部と、ＩＣチップと電気的に接続する配線とを設けて構成されており、メモリ内の情報は、図２に示すように、制御部６０に接続されたＩＣチップ用の書き込み装置（ＩＣチップ・リード・ライター）７０によって非接触で書き込み及び読み出しされるようになっている。また、このＩＣタグ７１は、薄いシール状やシート状であるので、印刷ドラムの側板や、インキパック等に貼付して使用することができる。そして、このＩＣタグ７１の近傍に書き込み装置（ＩＣチップ・リード・ライター）７０を設置しておけば、非接触で情報の書き込み及び読み出しを行うことができる。
【００７６】
また、本発明の孔版印刷装置では、印刷ドラム上の版の有無を検知する版検出手段２６を備えている。この版検出手段２６としては、本出願人が先に提案した、特許文献２に記載の反射型光学センサを用いて光学式に検知する方式のものや、特許文献３に記載の可動電極を用いて電気的に検知する方式のもの等を好適に用いることができる。
制御部６０は、印刷終了時に版検出手段２６により印刷ドラム上の版の有無を検知し、その検知情報を最終使用の状態情報の一つとして、書き込み装置（ＩＣチップ・リード・ライター）７０で記憶部材（ＩＣタグ）７１に書き込む。
【００７７】
さらに、本発明の孔版印刷装置では、印刷装置本体の制御部６０に備えた記憶装置６４にも、印刷終了時に、ドラム装置（印刷ドラム）２０の最終使用履歴情報及び、最終使用の状態情報を随時更新して記憶することができる。
そして、制御部６０は、印刷終了時に版検出手段２６により印刷ドラム上の版の有無を検知し、その検知情報を最終使用の状態情報の一つとして、書き込み装置（ＩＣチップ・リード・ライター）７０で記憶部材（ＩＣタグ）７１に書き込むとともに、記憶装置６４に記憶する。
そして、印刷の開始時には、制御部６０は、記憶部材７１に保存された最終使用履歴情報及び、最終使用の状態情報を読み出し、また、必要に応じて記憶装置６４に記憶した情報と対比し、読み出した情報に基づいて排版、製版、印刷動作の制御を行う。
【実施例】
【００７８】
次に、本発明の孔版印刷装置の制御部６０により実行される印刷制御処理の実施例を説明する。
【００７９】
［実施例１］
まず、前述の本発明の第１〜第３の手段の実施例を説明する。
図４は、図２に示す孔版印刷装置の制御部６０により実行される印刷制御処理動作の一例を示すフローチャートである。このフローチャートでは、印刷の終了時（Ｓ１−１）から記載しているが、印刷装置の使用時には、ステップ（Ｓ１−４）の「待機または停止状態」からスタートすることになる。
【００８０】
本実施例の孔版印刷装置では、前述したように、印刷部のドラム装置（印刷ドラム）２０またはドラム装置に装着のインキ収納部材（例えばインキパック）のいずれか一方に、記憶部材（ここではＩＣタグとする）７１を備えている。
このＩＣタグ７１には、印刷終了時に、ドラム装置（印刷ドラム）２０の最終使用履歴情報（日付や時間など）及び、最終使用の状態情報（印刷ドラム２０に版が巻いて有るか否か等）が随時更新されて書き込まれ、保存されている（Ｓ１−１）〜（Ｓ１−３）。そして、ＩＣタグ７１への情報の書き込みが終了した時点で、印刷装置は待機または停止状態となる（Ｓ１−４）〜（Ｓ１−５）。なお、印刷装置の電源のＯＦＦ／ＯＮや、印刷ドラムの交換、インキパックの交換、各種印刷条件の設定等は、この時点で行うことになる。
【００８１】
印刷装置の電源がＯＮで、各種印刷条件の設定等が行われた後、製版スタートキー８１が押下されると、製版、印刷の開始状態となり、制御部６０は、印刷の開始時には、ＩＣタグ７１に保存された最終使用履歴情報及び、最終使用の状態情報を書き込み装置７０で読み出し（Ｓ１−６）、読み出した最終使用履歴情報に基づいて一定期間内に使用履歴があるか否かを判定し（Ｓ１−７）〜（Ｓ１−８）、その判定結果に基づいて、前述の排版、製版、印刷動作の制御を行う。
【００８２】
より具体的に述べると、ステップ（Ｓ１−８）の判定で、ＩＣタグ７１より読み出された最終使用履歴情報により一定期間内で使用履歴が有ると判定された場合は、前述した通常の製版、印刷動作が実行される（Ｓ１−９）。そして、この場合には、ドラム上の版の有無は版検出手段２６で検知され、版が有る場合は排版動作が実行され、版が無い場合は、排版動作を行わずに製版動作、印刷動作を実行し、印刷を終了する（Ｓ１−９）→（Ｓ１−１）。印刷終了時には、ＩＣタグ７１に、ドラム装置（印刷ドラム）２０の最終使用履歴情報（日付や時間など）及び、最終使用の状態情報（印刷ドラム２０に版が巻いて有るか否か等）が随時更新されて書き込まれ、保存される（Ｓ１−１）〜（Ｓ１−３）。そして、ＩＣタグ７１への情報の書き込みが終了した時点で、印刷装置は待機または停止状態となる（Ｓ１−４）〜（Ｓ１−５）。
【００８３】
次に、ステップ（Ｓ１−８）の判定で、ＩＣタグ７１より読み出された最終使用履歴情報により一定期間以上使用履歴が無いと判定され、ＩＣタグ７１の最終使用の状態情報により印刷ドラム２０に版が有る状態で使用が終了されていたと判定された場合には（Ｓ１−１０）〜（Ｓ１−１１）、製版、印刷動作を行う際に、必ず排版動作を行い（Ｓ１−１２）、排版動作の実行後に製版、印刷動作を実行する（Ｓ１−１４）。そして、製版、印刷動作を実行した後は、印刷を終了する（Ｓ１−１４）→（Ｓ１−１）。
以上の制御により、「最終印刷時に印刷ドラム２０に版が巻いて有り、その後一定期間使用されることのなかった印刷ドラム２０を用いた際に、インキが緩み、滲むことで、版検出手段２６が版の有無を誤検知してしまい、版があるのに排版動作を行わず、装置の故障や異常画像が発生する」ということを未然に防止することができ、良好な印刷を行うことができる。
【００８４】
また、ステップ（Ｓ１−８）の判定で、ＩＣタグ７１より読み出された最終使用履歴情報により一定期間以上使用履歴が無いと判定され、ＩＣタグ７１の最終使用の状態情報により印刷ドラム２０に版が無い状態で使用が終了されていたと判定された場合には（Ｓ１−１０）〜（Ｓ１−１１）、製版、印刷動作を行う際に排版動作を行わないで（Ｓ１−１３）、製版、印刷動作を実行する（Ｓ１−１４）。そして、製版、印刷動作を実行した後は、印刷を終了する（Ｓ１−１４）→（Ｓ１−１）。
以上の制御により、「最終印刷時に印刷ドラム２０に版が巻いて無く、その後一定期間使用されることのなかった印刷ドラム２０を用いた際に、インキが緩み、滲むことで、版検出手段２６が版の有無を誤検知してしまい、版が無いのに排版動作を行って排版ジャムとなる」ということを未然に防止することができ、良好な印刷を行うことができる。
【００８５】
なお、印刷終了時には、ＩＣタグ７１に、ドラム装置（印刷ドラム）２０の最終使用履歴情報（日付や時間など）及び、最終使用の状態情報（印刷ドラム２０に版が巻いて有るか否か等）が随時更新されて書き込まれ、保存される（Ｓ１−１）〜（Ｓ１−３）。そして、ＩＣタグ７１への情報の書き込みが終了した時点で、印刷装置は待機または停止状態となる（Ｓ１−４）〜（Ｓ１−５）。
【００８６】
［実施例２］
次に、前述の本発明の第１、第４〜第８の手段の実施例を説明する。
図５及び図６は、図２に示す孔版印刷装置の制御部６０により実行される印刷制御処理動作の一例を示すフローチャートである。このフローチャートでも、印刷の終了時（Ｓ２−１）から記載しているが、印刷装置の使用時には、ステップ（Ｓ２−４）の「待機または停止状態」からスタートすることになる。
【００８７】
本実施例の孔版印刷装置では、前述したように、印刷部のドラム装置（印刷ドラム）２０またはドラム装置に装着のインキ収納部材（例えばインキパック）のいずれか一方に、記憶部材（ここではＩＣタグとする）７１を備えている。
このＩＣタグ７１には、印刷終了時に、ドラム装置（印刷ドラム）２０の最終使用履歴情報（日付や時間など）及び、最終使用の状態情報（印刷ドラム２０に版が巻いて有るか否か等）が随時更新されて書き込まれ、保存されている（Ｓ２−１）〜（Ｓ２−３）。そして、ＩＣタグ７１への情報の書き込みが終了した時点で、印刷装置は待機または停止状態となる（Ｓ２−４）〜（Ｓ２−５）。なお、印刷装置の電源のＯＦＦ／ＯＮや、印刷ドラムの交換、インキパックの交換、各種印刷条件の設定等は、この時点で行うことになる。
【００８８】
印刷装置の電源がＯＮで、各種印刷条件の設定等が行われた後、製版スタートキー８１が押下されると、製版、印刷の開始状態となり、制御部６０は、印刷の開始時には、ＩＣタグ７１に保存された最終使用履歴情報及び、最終使用の状態情報を書き込み装置７０で読み出し（Ｓ２−６）、読み出した最終使用履歴情報に基づいて一定期間内に使用履歴があるか否かを判定し（Ｓ２−７）〜（Ｓ２−８）、その判定結果に基づいて、前述の排版、製版、印刷動作の制御を行う。
【００８９】
より具体的に述べると、ステップ（Ｓ２−８）の判定で、ＩＣタグ７１より読み出された最終使用履歴情報により一定期間内で使用履歴が有ると判定された場合は、前述した通常の製版、印刷動作が実行される（Ｓ２−９）。そして、この場合には、ドラム上の版の有無は版検出手段２６で検知され、版が有る場合は排版動作が実行され、版が無い場合は、排版動作を行わずに製版動作、印刷動作を実行し、印刷を終了する（Ｓ２−９）→（Ｓ２−１）。印刷終了時には、ＩＣタグ７１に、ドラム装置（印刷ドラム）２０の最終使用履歴情報（日付や時間など）及び、最終使用の状態情報（印刷ドラム２０に版が巻いて有るか否か等）が随時更新されて書き込まれ、保存される（Ｓ２−１）〜（Ｓ２−３）。そして、ＩＣタグ７１への情報の書き込みが終了した時点で、印刷装置は待機または停止状態となる（Ｓ２−４）〜（Ｓ２−５）。
【００９０】
次に、ステップ（Ｓ２−８）の判定で、ＩＣタグ７１より読み出された最終使用履歴情報により一定期間以上使用履歴が無いと判定された場合、ＩＣタグ７１の最終使用の状態情報により印刷ドラム２０に版が有る状態で使用が終了されていたか、印刷ドラム２０に版が無い状態で使用が終了されていたかを判定する（Ｓ２−１０）〜（Ｓ２−１１）。そして、その判定結果に応じてユーザーに印刷ドラム２０の状態の確認を仰ぐメーセージを操作パネル８０上に表示し、該操作パネル８０からユーザーがドラム上の版の有無を確認した結果を選択するようにし、ＩＣタグ７１の最終使用の状態情報と、ユーザーによって選択された情報とによって、所定の製版、印刷処理制御（図６のＡまたはＢの制御）を行う。これにより、一定期間使用されることのなかった印刷ドラム２０を用いた際に、ＩＣタグ７１の情報による判定のみならず、ユーザーに印刷ドラム２０の版の状態を確認させるメッセージを出し、版の有無を選択させることで、より多くの状況（例えば記憶部材の誤情報等）に対しても正常で良好な印刷を行うことが可能となる。
【００９１】
より具体的に述べると、ステップ（Ｓ２−８）の判定で、ＩＣタグ７１より読み出された最終使用履歴情報により一定期間以上使用履歴が無いと判定され、ＩＣタグ７１の最終使用の状態情報により印刷ドラム２０に版が有る状態で使用が終了されていたと判定された場合に（Ｓ２−１０）〜（Ｓ２−１１）→（図６のＢ）、操作パネル８０上からのユーザーの選択がドラム上に版が有ると選択した場合には（Ｓ２−１７）〜（Ｓ２−１８）、製版、印刷動作を行う際に必ず排版動作を行い（Ｓ２−１９）、排版動作の実行後に製版、印刷動作を実行する（Ｓ２−２１）。そして、製版、印刷動作を実行した後は、印刷を終了する（Ｓ２−２１）→（Ｓ２−１）。
以上の制御により、「最終印刷時に印刷ドラム２０に版が巻いて有り、その後一定期間使用されることのなかった印刷ドラム２０を用いた際に、インキが緩み、滲むことで、版検出手段２６が版の有無を誤検知してしまい、版があるのに排版動作を行わず、装置の故障や異常画像が発生する」ということを確実に防止することができ、良好な印刷を行うことができる。
【００９２】
また、ステップ（Ｓ２−８）の判定で、ＩＣタグ７１より読み出された最終使用履歴情報により一定期間以上使用履歴が無いと判定され、ＩＣタグ７１の最終使用の状態情報により印刷ドラム２０に版が有る状態で使用が終了されていたと判定された場合に（Ｓ２−１０）〜（Ｓ２−１１）→（図６のＢ）、操作パネル８０上からのユーザーの選択がドラム上に版が無いと選択した場合には（Ｓ２−１７）〜（Ｓ２−１８）、製版、印刷動作を行う際に排版動作を行わないで（Ｓ２−２０）、製版、印刷動作を実行する（Ｓ２−２１）。そして、製版、印刷動作を実行した後は、印刷を終了する（Ｓ２−２１）→（Ｓ２−１）。
以上の制御により、ＩＣタグ７１の最終使用の状態情報が間違って記憶されていた場合にも、ユーザーによる版の有無の選択を優先するので、「最終印刷時に印刷ドラム２０に版が巻いて無く、その後一定期間使用されることのなかった印刷ドラム２０を用いた際に、インキが緩み、滲むことで、版検出手段２６が版の有無を誤検知してしまい、版が無いのに排版動作を行って排版ジャムとなる」ということを確実に防止することができ、良好な印刷を行うことができる。
【００９３】
さらにまた、ステップ（Ｓ２−８）の判定で、ＩＣタグ７１より読み出された最終使用履歴情報により一定期間以上使用履歴が無いと判定され、ＩＣタグ７１の最終使用の状態情報により印刷ドラム２０に版が無い状態で使用が終了されていたと判定された場合に（Ｓ２−１０）〜（Ｓ２−１１）→（図６のＡ）、操作パネル上からのユーザーの選択がドラム上に版が有ると選択した場合には（Ｓ２−１２）〜（Ｓ２−１３）、製版、印刷動作を行う際に必ず排版動作を行い（Ｓ２−１４）、排版動作の実行後に製版、印刷動作を実行する（Ｓ２−１６）。そして、製版、印刷動作を実行した後は、印刷を終了する（Ｓ２−１６）→（Ｓ２−１）。
以上の制御により、ＩＣタグ７１の最終使用の状態情報が間違って記憶されていた場合にも、ユーザーによる版の有無の選択を優先するので、「最終印刷時に印刷ドラム２０に版が巻いて有り、その後一定期間使用されることのなかった印刷ドラム２０を用いた際に、インキが緩み、滲むことで、版検出手段２６が版の有無を誤検知してしまい、版があるのに排版動作を行わず、装置の故障や異常画像が発生する」ということを確実に防止することができ、良好な印刷を行うことができる。
【００９４】
さらにまた、ステップ（Ｓ２−８）の判定で、ＩＣタグ７１より読み出された最終使用履歴情報により一定期間以上使用履歴が無いと判定され、ＩＣタグ７１の最終使用の状態情報により印刷ドラムに版が無い状態で使用が終了されていたと判定された場合に（Ｓ２−１０）〜（Ｓ２−１１）→（図６のＡ）、操作パネル８０上からのユーザーの選択がドラム上に版が無いと選択した場合には（Ｓ２−１２）〜（Ｓ２−１３）、製版、印刷動作を行う際に排版動作を行わないで（Ｓ２−１５）、製版、印刷動作を実行する（Ｓ２−１６）。そして、製版、印刷動作を実行した後は、印刷を終了する（Ｓ２−１６）→（Ｓ２−１）。
以上の制御により、これにより、「最終印刷時に印刷ドラム２０に版が巻いて有り、その後一定期間使用されることのなかった印刷ドラム２０を用いた際に、インキが緩み、滲むことで、版検出手段２６が版の有無を誤検知してしまい、版があるのに排版動作を行わず、装置の故障や異常画像が発生する」ということを確実に防止することができ、良好な印刷を行うことができる。
【００９５】
なお、印刷終了時には、ＩＣタグ７１に、ドラム装置（印刷ドラム）２０の最終使用履歴情報（日付や時間など）及び、最終使用の状態情報（印刷ドラム２０に版が巻いて有るか否か等）が随時更新されて書き込まれ、保存される（Ｓ２−１）〜（Ｓ２−３）。そして、ＩＣタグ７１への情報の書き込みが終了した時点で、印刷装置は待機または停止状態となる（Ｓ２−４）〜（Ｓ２−５）。
【００９６】
［実施例３］
次に、前述の本発明の第１、第４、第９〜第１７の手段の実施例を説明する。
図７〜図９は、図２に示す孔版印刷装置の制御部６０により実行される印刷制御処理動作の一例を示すフローチャートである。このフローチャートでも、印刷の終了時（Ｓ３−１）から記載しているが、印刷装置の使用時には、ステップ（Ｓ３−５）の「待機または停止状態」からスタートすることになる。
【００９７】
本実施例の孔版印刷装置では、前述したように、印刷部のドラム装置（印刷ドラム）２０またはドラム装置に装着のインキ収納部材（例えばインキパック）のいずれか一方に、記憶部材（ここではＩＣタグとする）７１を備えており、印刷終了時に、ドラム装置（印刷ドラム）２０の最終使用履歴情報（日付や時間など）及び、最終使用の状態情報（印刷ドラム２０に版が巻いて有るか否か等）が随時更新されて書き込まれ、保存されている。
また、本実施例では、印刷装置本体の制御部６０に備えた記憶装置６４にも、印刷終了時に、ドラム装置（印刷ドラム）２０の最終使用履歴情報（日付や時間など）及び、最終使用の状態情報（印刷ドラム２０に版が巻いて有るか否か等）が随時更新して記憶される。
【００９８】
すなわち、本実施例では、制御部６０は、印刷終了時に、ドラム装置（印刷ドラム）２０の最終使用履歴情報（日付や時間など）及び、最終使用の状態情報（印刷ドラム２０に版が巻いて有るか否か等）を記憶装置６４に記憶するとともに、ＩＣタグ７１に書き込む（Ｓ３−１）〜（Ｓ３−４）。
そして、記憶装置６４とＩＣタグ７１への情報の書き込みが終了した時点で、印刷装置は待機または停止状態となる（Ｓ３−５）〜（Ｓ３−６）。なお、印刷装置の電源のＯＦＦ／ＯＮや、印刷ドラムの交換、インキパックの交換、各種印刷条件の設定等は、この時点で行うことになる。
【００９９】
印刷装置の電源がＯＮで、各種印刷条件の設定等が行われた後、製版スタートキー８１が押下されると、製版、印刷の開始状態となり、制御部６０は、印刷の開始時には、記憶装置６４に記憶された最終使用履歴情報及び、最終使用の状態情報を読み込むとともに、ＩＣタグ７１に保存された最終使用履歴情報及び、最終使用の状態情報を書き込み装置７０で読み出し（Ｓ３−７）〜（Ｓ３−８）、記憶装置６４に保存された最終使用履歴情報及び、最終使用の状態情報と、ＩＣタグ７１より読み出された最終使用履歴情報及び、最終使用の状態情報とを対比させる（Ｓ３−９）。そして、ＩＣタグ７１より読み出された最終使用履歴情報に基づいて一定期間内に使用履歴があるか否かを判定し（Ｓ３−１０）、その判定結果に基づいて、前述の排版、製版、印刷動作の制御を行う。
【０１００】
より具体的に述べると、ステップ（Ｓ３−１０）の判定で、ＩＣタグ７１より読み出された最終使用履歴情報により一定期間内で使用履歴が有ると判定された場合は、前述した通常の製版、印刷動作が実行される（Ｓ３−１１）。そして、この場合には、ドラム上の版の有無は版検出手段２６で検知され、版が有る場合は排版動作が実行され、版が無い場合は、排版動作を行わずに製版動作、印刷動作を実行し、印刷を終了する（Ｓ３−１１）→（Ｓ３−１）。印刷終了時には、記憶装置６４とＩＣタグ７１に、ドラム装置（印刷ドラム）２０の最終使用履歴情報（日付や時間など）及び、最終使用の状態情報（印刷ドラム２０に版が巻いて有るか否か等）が随時更新されて書き込まれ、保存される（Ｓ３−１）〜（Ｓ３−４）。そして、記憶装置６４とＩＣタグ７１への情報の書き込みが終了した時点で、印刷装置は待機または停止状態となる（Ｓ３−５）〜（Ｓ３−６）。
【０１０１】
次にステップ（Ｓ３−１０）の判定で、一定期間以上使用履歴が無いと判定された場合は、制御部６０の記憶装置６４に記憶された最終使用の状態情報を使用してドラム上の版の有無を判定し（（Ｓ３−１２）→図８の（Ｓ３−１３））、さらにＩＣタグ７１より読み出された最終使用の状態情報を使用してドラム上の版の有無を判定する（（Ｓ３−１４）〜（Ｓ３−１５）または図９の（Ｓ３−２５）〜（Ｓ３−２６））。そして、ユーザーに印刷ドラム２０の状態の確認を仰ぐメーセージを操作パネル８０上に表示し、該操作パネル８０からユーザーがドラム上の版の有無を確認した結果を選択するようにし、記憶装置６４に記憶された最終使用の状態情報と、ＩＣタグ７１の最終使用の状態情報と、ユーザーに選択された情報とによって所定の製版、印刷処理制御を行う。これにより、印刷ドラム２０が交換され、一定期間使用されることのなかった印刷ドラム２０を用いた際に、記憶装置６４の情報とＩＣタグ７１の情報の対比により印刷ドラム２０が別のドラムに変更されたことを検知でき、さらには、ユーザーに印刷ドラム２０の版の状態を確認させるメッセージを出し、版の有無を選択させることで、印刷ドラム２０が変更された際にも正常で良好な印刷を行うことが可能ととなる。
【０１０２】
より具体的に述べると、ステップ（Ｓ３−１０）の判定で、ＩＣタグ７１より読み出された最終使用履歴情報により一定期間以上使用履歴が無いと判定され、記憶装置６４に記憶された最終使用の状態情報により印刷ドラム２０に版が有る状態で使用が終了されていたと判定され（Ｓ３−１２）〜（Ｓ３−１３）、ＩＣタグ７１より読み出された最終使用の状態情報により印刷ドラム２０に版が有る状態で使用が終了されていたと判定された場合に（Ｓ３−１４）〜（Ｓ３−１５）、操作パネル８０上からのユーザーの選択がドラム上に版が有ると選択した場合には（Ｓ３−１６）〜（Ｓ３−１７）、製版、印刷動作を行う際に必ず排版動作を行い（Ｓ３−１８）、排版動作の実行後に製版、印刷動作を実行する（Ｓ３−２４）。そして、製版、印刷動作を実行した後は、印刷を終了する（Ｓ３−２４）→（Ｓ３−１）。
以上の制御により、印刷ドラム２０が変更された際にも、「最終印刷時に印刷ドラム２０に版が巻いて有り、その後一定期間使用されることのなかった印刷ドラム２０を用いた際に、インキが緩み、滲むことで、版検出手段２６が版の有無を誤検知してしまい、版があるのに排版動作を行わず、装置の故障や異常画像が発生する」ということを確実に防止することができ、良好な印刷を行うことができる。
【０１０３】
次にステップ（Ｓ３−１０）の判定で、ＩＣタグ７１より読み出された最終使用履歴情報により一定期間以上使用履歴が無いと判定され、記憶装置６４に記憶された最終使用の状態情報により印刷ドラムに版が有る状態で使用が終了されていたと判定され（Ｓ３−１２）〜（Ｓ３−１３）、ＩＣタグ７１より読み出された最終使用の状態情報により印刷ドラム２０に版が有る状態で使用が終了されていたと判定された場合に（Ｓ３−１４）〜（Ｓ３−１５）、操作パネル８０上からのユーザーの選択がドラム上に版が無いと選択した場合には（Ｓ３−１６）〜（Ｓ３−１７）、製版、印刷動作を行う際に排版動作を行わないで（Ｓ３−１９）、製版、印刷動作を実行する（Ｓ３−２４）。そして、製版、印刷動作を実行した後は、印刷を終了する（Ｓ３−２４）→（Ｓ３−１）。
以上の制御により、印刷ドラム２０が変更され、また、ＩＣタグ７１の最終使用の状態情報が間違って記憶されていた場合にも、ユーザーによる版の有無の選択を優先するので、「最終印刷時に印刷ドラム２０に版が巻いて無く、その後一定期間使用されることのなかった印刷ドラム２０を用いた際に、インキが緩み、滲むことで、版検出手段２６が版の有無を誤検知してしまい、版が無いのに排版動作を行って排版ジャムとなる」ということを確実に防止することができ、良好な印刷を行うことができる。
【０１０４】
次にステップ（Ｓ３−１０）の判定で、ＩＣタグ７１より読み出された最終使用履歴情報により一定期間以上使用履歴が無いと判定され、記憶装置６４に記憶された最終使用の状態情報により印刷ドラム２０に版が有る状態で使用が終了されていたと判定され（Ｓ３−１２）〜（Ｓ３−１３）、ＩＣタグ７１より読み出された最終使用の状態情報により印刷ドラム２０に版が無い状態で使用が終了されていたと判定された場合に（Ｓ３−１４）〜（Ｓ３−１５）、前記操作パネル８０上からのユーザーの選択がドラム上に版が有ると選択した場合には（Ｓ３−２０）〜（Ｓ３−２１）、製版、印刷動作を行う際に必ず排版動作を行い（Ｓ３−２２）、排版動作の実行後に製版、印刷動作を実行する（Ｓ３−２４）。そして、製版、印刷動作を実行した後は、印刷を終了する（Ｓ３−２４）→（Ｓ３−１）。
以上の制御により、印刷ドラム２０が変更され、また、ＩＣタグ７１の最終使用の状態情報が間違って記憶されていた場合にも、ユーザーによる版の有無の選択を優先するので、「最終印刷時に印刷ドラム２０に版が巻いて有り、その後一定期間使用されることのなかった印刷ドラム２０を用いた際に、インキが緩み、滲むことで、版検出手段２６が版の有無を誤検知してしまい、版があるのに排版動作を行わず、装置の故障や異常画像が発生する」ということを確実に防止することができ、良好な印刷を行うことができる。
【０１０５】
次にステップ（Ｓ３−１０）の判定で、ＩＣタグ７１より読み出された最終使用履歴情報により一定期間以上使用履歴が無いと判定され、記憶装置６４に記憶された最終使用の状態情報により印刷ドラム２０に版が有る状態で使用が終了されていたと判定され（Ｓ３−１２）〜（Ｓ３−１３）、ＩＣタグ７１より読み出された最終使用の状態情報により印刷ドラム２０に版が無い状態で使用が終了されていたと判定された場合に（Ｓ３−１４）〜（Ｓ３−１５）、操作パネル８０上からのユーザーの選択がドラム上に版が無いと選択した場合には（Ｓ３−２０）〜（Ｓ３−２１）、製版、印刷動作を行う際に排版動作を行わないで（Ｓ３−２３）、製版、印刷動作を実行する（Ｓ３−２４）。そして、製版、印刷動作を実行した後は、印刷を終了する（Ｓ３−２４）→（Ｓ３−１）。
以上の制御により、印刷ドラム２０が変更された際にも、「最終印刷時に印刷ドラム２０に版が巻いて無く、その後一定期間使用されることのなかった印刷ドラム２０を用いた際に、インキが緩み、滲むことで、版検出手段２６が版の有無を誤検知してしまい、版が無いのに排版動作を行って排版ジャムとなる」ということを確実に防止することができ、良好な印刷を行うことができる。
【０１０６】
次にステップ（Ｓ３−１０）の判定で、ＩＣタグ７１より読み出された最終使用履歴情報により一定期間以上使用履歴が無いと判定され、記憶装置６４に記憶された最終使用の状態情報により印刷ドラム２０に版が無い状態で使用が終了されていたと判定され（Ｓ３−１２）〜（Ｓ３−１３）、ＩＣタグ７１より読み出された最終使用の状態情報により印刷ドラム２０に版が有る状態で使用が終了されていたと判定された場合に（Ｓ３−２５）〜（Ｓ３−２６）、操作パネル８０上からのユーザーの選択がドラム上に版が有ると選択した場合には（Ｓ３−２７）〜（Ｓ３−２８）、製版、印刷動作を行う際に必ず排版動作を行い（Ｓ３−２９）、排版動作の実行後に製版、印刷動作を実行する（Ｓ３−３５）。そして、製版、印刷動作を実行した後は、印刷を終了する（Ｓ３−３５）→（Ｓ３−１）。
以上の制御により、印刷ドラム２０が変更された際にも、「最終印刷時に印刷ドラム２０に版が巻いて有り、その後一定期間使用されることのなかった印刷ドラム２０を用いた際に、インキが緩み、滲むことで、版検出手段２６が版の有無を誤検知してしまい、版があるのに排版動作を行わず、装置の故障や異常画像が発生する」ということを確実に防止することができ、良好な印刷を行うことができる。
【０１０７】
次にステップ（Ｓ３−１０）の判定で、ＩＣタグ７１より読み出された最終使用履歴情報により一定期間以上使用履歴が無いと判定され、記憶装置６４に記憶された最終使用の状態情報により印刷ドラム２０に版が無い状態で使用が終了されていたと判定され（Ｓ３−１２）〜（Ｓ３−１３）、ＩＣタグ７１より読み出された最終使用の状態情報により印刷ドラム２０に版が有る状態で使用が終了されていたと判定された場合に（Ｓ３−２５）〜（Ｓ３−２６）、操作パネル８０上からのユーザーの選択がドラム上に版が無いと選択した場合には（Ｓ３−２７）〜（Ｓ３−２８）、製版、印刷動作を行う際に排版動作を行わないで（Ｓ３−３０）、製版、印刷動作を実行する（Ｓ３−３５）。そして、製版、印刷動作を実行した後は、印刷を終了する（Ｓ３−３５）→（Ｓ３−１）。
以上の制御により、印刷ドラム２０が変更され、また、ＩＣタグ７１の最終使用の状態情報が間違って記憶されていた場合にも、ユーザーによる版の有無の選択を優先するので、「最終印刷時に印刷ドラム２０に版が巻いて無く、その後一定期間使用されることのなかった印刷ドラム２０を用いた際に、インキが緩み、滲むことで、版検出手段２６が版の有無を誤検知してしまい、版が無いのに排版動作を行って排版ジャムとなる」ということを確実に防止することができ、良好な印刷を行うことができる。
【０１０８】
次にステップ（Ｓ３−１０）の判定で、ＩＣタグ７１より読み出された最終使用履歴情報により一定期間以上使用履歴が無いと判定され、記憶装置６４に記憶された最終使用の状態情報により印刷ドラム２０に版が無い状態で使用が終了されていたと判定され（Ｓ３−１２）〜（Ｓ３−１３）、ＩＣタグ７１より読み出された最終使用の状態情報により印刷ドラム２０に版が無い状態で使用が終了されていたと判定された場合に（Ｓ３−２５）〜（Ｓ３−２６）、操作パネル８０上からのユーザーの選択がドラム上に版が有ると選択した場合には（Ｓ３−３１）〜（Ｓ３−３２）、製版、印刷動作を行う際に必ず排版動作を行い（Ｓ３−３３）、排版動作の実行後に製版、印刷動作を実行する（Ｓ３−３５）。そして、製版、印刷動作を実行した後は、印刷を終了する（Ｓ３−３５）→（Ｓ３−１）。
以上の制御により、印刷ドラム２０が変更され、また、ＩＣタグ７１の最終使用の状態情報が間違って記憶されていた場合にも、ユーザーによる版の有無の選択を優先するので、「最終印刷時に印刷ドラム２０に版が巻いて有り、その後一定期間使用されることのなかった印刷ドラム２０を用いた際に、インキが緩み、滲むことで、版検出手段２６が版の有無を誤検知してしまい、版があるのに排版動作を行わず、装置の故障や異常画像が発生する」ということを確実に防止することができ、良好な印刷を行うことができる。
【０１０９】
次にステップ（Ｓ３−１０）の判定で、ＩＣタグ７１より読み出された最終使用履歴情報により一定期間以上使用履歴が無いと判定され、記憶装置６４に記憶された最終使用の状態情報により印刷ドラムに版が無い状態で使用が終了されていたと判定され（Ｓ３−１２）〜（Ｓ３−１３）、ＩＣタグ７１より読み出された最終使用の状態情報により印刷ドラムに版が無い状態で使用が終了されていたと判定された場合に（Ｓ３−２５）〜（Ｓ３−２６）、操作パネル８０上からのユーザーの選択がドラム上に版が無いと選択した場合には（Ｓ３−３１）〜（Ｓ３−３２）、製版、印刷動作を行う際に排版動作を行わないで（Ｓ３−３４）、製版、印刷動作を実行する（Ｓ３−３５）。そして、製版、印刷動作を実行した後は、印刷を終了する（Ｓ３−３５）→（Ｓ３−１）。
以上の制御により、印刷ドラム２０が変更された際にも、「最終印刷時に印刷ドラム２０に版が巻いて無く、その後一定期間使用されることのなかった印刷ドラム２０を用いた際に、インキが緩み、滲むことで、版検出手段２６が版の有無を誤検知してしまい、版が無いのに排版動作を行って排版ジャムとなる」ということを確実に防止することができ、良好な印刷を行うことができる。
【図面の簡単な説明】
【０１１０】
【図１】本発明の一実施形態を示す孔版印刷装置の概略構成図である。
【図２】図１に示す孔版印刷装置に用いられる制御系の一例を示すブロック図である。
【図３】図１に示す孔版印刷装置の操作パネルの一例を示す図である。
【図４】孔版印刷装置の制御部により実行される印刷制御処理動作の一例を示すフローチャートである。
【図５】孔版印刷装置の制御部により実行される印刷制御処理動作の別の例を示すフローチャートである。
【図６】図５の印刷制御処理動作の続きを示すフローチャートである。
【図７】孔版印刷装置の制御部により実行される印刷制御処理動作のさらに別の例を示すフローチャートである。
【図８】図７の印刷制御処理動作の続きを示すフローチャートである。
【図９】図８の印刷制御処理動作の続きを示すフローチャートである。
【符号の説明】
【０１１１】
１：孔版印刷装置本体
２：画像読取部
９：製版部
１１：版（マスタ）
２０：ドラム装置の印刷ドラム（印刷部）
２６：版検出手段
３０：給紙部
３１：圧胴（押圧手段）
３３：印刷用紙
３８：排版部
５０：排紙部
６０：制御部
６４：記憶装置
７０：書き込み装置
７１：記憶部材（ＩＣタグ）
８０：操作パネル
【図１】
2008132623.tif 000003
【図２】
2008132623.tif 000004
【図３】
2008132623.tif 000005
【図４】
2008132623.tif 000006
【図５】
2008132623.tif 000007
【図６】
2008132623.tif 000008
【図７】
2008132623.tif 000009
【図８】
2008132623.tif 000010
【図９】
2008132623.tif 000011